(57)【要約】ボイスメール、ビデオメール及び／またはファックスメールをルーチングするシステム及び／または方法のためのファックス送受信機(10）はプロセッサーとメモリーを備え、関連する受信者にボイスメール、ビデオメール及び／またはファックスメールをルーチングするよう構成されている。  ファックス送受信機(10）は操作パネル(12）、操作表示画面（14）、マイクロフォン／スピーカー（16）、電話ハンドセット（18）、封印したペーパートレイ（20）、補助ペーパートレイ（22）、プリンター、オーディオ／ビデオ記録カメラ（26）、ボイスメール、ビデオメール及び／またはファックスメール表示部（28）、モデム（30）、プロセッサー、メモリー及びファックス送受信機の要素を相互接続する通信バスを備えている。さらに、ファックス送受信機(10）は付加的キーパッド、PCIスロット、音声発生回路、音声認知回路、音声カード、ペーパースキャナー、バーコードリーダー、手指／親指指紋スキャナー、網膜スキャナー、スタイラスペン、署名パッド、シュレッダー、ネットワーク制御ユニット、入力／出力ポート等を備えることもできる。【特許請求の範囲】
【請求項１】
プロセッサーとメモリーを備えたボイスメール、ビデオメール及び／またはファックスメールをルーチングするファックス送受信機であって、ボイスメール、ビデオメール及び／またはファックスメールを関連する受信者へルーチングするために構成されたことを特徴とするファックス送受信機。
【請求項２】
操作パネルを更に備えた請求項1のファックス送受信機。
【請求項３】
操作表示画面を更に備えた請求項1のファックス送受信機。
【請求項４】
マイクロフォン／スピーカーを更に備えた請求項1のファックス送受信機。
【請求項５】
電話ハンドセットを更に備えた請求項1のファックス送受信機。
【請求項６】
封印したペーパートレイを備えた請求項1のファックス送受信機。
【請求項７】
補助ペーパートレイを更に備えた請求項1のファックス送受信機。
【請求項８】
プリンターを更に備えた請求項1のファックス送受信機。
【請求項９】
オーディオ／ビデオ記録カメラを更に備えた請求項1のファックス送受信機。
【請求項１０】
モデムを更に備えた請求項1のファックス送受信機。
【請求項１１】
キーボードを更に備えた請求項1のファックス送受信機。
【請求項１２】
マウスを更に備えた請求項1のファックス送受信機。
【請求項１３】
キーパッドを更に備えた請求項1のファックス送受信機。
【請求項１４】
操作キーパッドが電話キーパッドを備えた請求項13のファックス送受信機。
【請求項１５】
周辺機器部品相互接続スロットを更に備えた請求項1のファックス送受信機。
【請求項１６】
音声発生回路を更に備えた請求項1のファックス送受信機。
【請求項１７】
音声認知回路を更に備えた請求項1のファックス送受信機。
【請求項１８】
音声カードを更に備えた請求項1のファックス送受信機。
【請求項１９】
ボイスメール、ビデオメール及び／またはファックスメール表示部を更に備えた請求項1のファックス送受信機。
【請求項２０】
ペーパースキャナーを更に備えた請求項1のファックス送受信機。
【請求項２１】
バーコードリーダーを更に備えた請求項1のファックス送受信機。
【請求項２２】
手指／親指指紋スキャナーを更に備えた請求項1のファックス送受信機。
【請求項２３】
網膜スキャナーを更に備えた請求項1のファックス送受信機。
【請求項２４】
スタイラスを更に備えた請求項1のファックス送受信機。
【請求項２５】
署名パッドを更に備えた請求項1のファックス送受信機。
【請求項２６】
シュレッダーを更に備えた請求項1のファックス送受信機。
【請求項２７】
ハードドライブを更に備えた請求項1のファックス送受信機。
【請求項２８】
取り外し可能のドライブを更に備えた請求項1のファックス送受信機。
【請求項２９】
ファックス送受信機から送信されたボイスメール、ビデオメール及び／またはファックスメールが受信側ファックス送受信機の受信者によって検索されたかどうかをユーザーが確認できるように確認モードに該ファックス送受信機を構成するファックスソフトウェアをファックス送受信機が備える事を特徴とする請求項1のファックス送受信機。
【請求項３０】
ユーザーが受信側ファックス送受信機に送信されたボイスメール、ビデオメール及び／またはファックスメール各々について配信証明要求の最新情報を自動的に受信できるように配信証明要求モードにファックス送受信機を構成するファックスソフトウェアをファックス送受信機が備える事を含む請求項1のファックス送受信機。
【請求項３１】
ボイスメール、ファックス送受信機から送信されたビデオメール及び／またはファックスメールが関連する検索先ファックス送受信機の受信者によって検索されたかどうかをユーザーが迅速に確認できるようにチェックモードに該ファックス送受信機を構成するソフトウェアをファックス送受信機が備える事を含む請求項1のファックス送受信機。
【請求項３２】
ユーザーが金銭の小切手を安全にファックスできるようファックス小切手モードにファックス送受信機を構成するソフトウェアを該ファックス送受信機が備える事を含む請求項1のファックス送受信機。
【請求項３３】
ファックスを見る者が「読み取り専用」のボイスメール、ビデオメール及び／またはファックスメールを見る／聞くことができるよう使用者閲覧専用モードにファックス送受信機を構成するソフトウェアを該ファックス送受信機が備える事を含む請求項1のファックス送受信機。
【請求項３４】
該ファックス送受信機が目の穴のついた引き込み式の画面カバーを備え、ファックスを見る者が「読み取り専用」のボイスメール、ビデオメール及び／またはファックスメールを見る／聞くことができるよう使用者閲覧専用モードを構成されている請求項33のファックス送受信機。
【請求項３５】
ユーザーが手指／親指指紋スキャンで意図された受信者の真偽を確認できるよう手指／親指指紋スキャンモードに該ファックス送受信機を構成するソフトウェアをファックス送受信機が備える事を含む請求項1のファックス送受信機。
【請求項３６】
ユーザーが網膜スキャンで意図された受信者の真偽を確認できるよう網膜スキャンモードに該ファックス送受信機を構成するソフトウェアをファックス送受信機が備える事を含む請求項1のファックス送受信機。
【請求項３７】
ユーザーがボイスメール、ビデオメール及び／またはファックスメールを見る／聞くことしかできないように読み取り専用モードを該ファックス送受信機に構成するソフトウェアをファックス送受信機が備える事を含む請求項1のファックス送受信機。
【請求項３８】
ボイスメール、ビデオメール及び／またはファックスメールがユーザーのファックス送受信機で受信されたことを自動的にユーザーに通知することができるよう即時状況モードに該ファックス送受信機を構成するソフトウェアをファックス送受信機が備える事を含む請求項1のファックス送受信機。
【請求項３９】
ボイスメール、ビデオメール及び／またはファックスメールの追跡番号をファックス送受信機にコピー送信することによってボイスメール、ビデオメール及び／またはファックスメールが始動されたことをユーザーに確認させるよう複写（CC)モードに該ファックス送受信機を構成するソフトウェアをファックス送受信機が備える事を含む請求項1のファックス送受信機。
【請求項４０】
先着順に着信する電話呼び出しを配置し、呼び出しを行なう者にファックス送受信機が送信者の特定のボイスメール、ビデオメール及び／またはファックスメールを受信するまでにかかるおおよその時間を示すプロンプトを与えるファックスキューをファックス送受信に備えるためにファックスキューモードを該ファックス送受信機に構成するソフトウェアをファックス送受信機が備える事を含む請求項1のファックス送受信機。
【請求項４１】
受信側ファックス送受信機が意図されたファックス送受信機であるかどうかをユーザーが確認できるよう識別モードをファックス送受信機に構成するソフトウェアを該ファックス送受信機が備える事を含む請求項1のファックス送受信機。
【請求項４２】
相互接続する受信側ファックス送受信機に受信側ファックス送受信機で利用可能な内線番号のディレクトリをユーザーがプロンプトすることができるようにディレクトリプロンプトモードにがいファックス送受信機を構成するソフトウェアを該ファックス送受信機が備える事を含む請求項1のファックス送受信機。
【請求項４３】
ファックス送受信機のユーザーがインスタントメッセージングや電子メールと同様のやり方で通信できるように私はここにいます、そこにいるのは誰ですか（IHWT)モードにファックス送受信機を構成するソフトウェアを該ファックス送受信機が備える事を含む請求項1のファックス送受信機。
【請求項４４】
該ファックス送受信機が別のファックス送受信機とインスタントメッセージングや電子メールと同様のやり方で通信できるように構成される、請求項43のファックス送受信機。
【請求項４５】
該ファックス送受信機がネットワーク接続と相互接続するコンピューティングデバイスとインスタントメッセージングや電子メールと同様のやり方で通信できるように構成される、請求項43のファックス送受信機。
【請求項４６】
カメラを備えたファックス送受信機がボイスメール、ビデオメール及び／またはファックスメール、人物や物の画像をユーザーに提供できるようポートレートモードにファックス送受信機を構成するソフトウェアを該ファックス送受信機が備える事を含む請求項1のファックス送受信機。
【請求項４７】
留守メッセージが受信側ファックス送受信機におかれ、受信側ファックス送受信機の特定の人物がボイスメール、ビデオメール及び／またはファックスメールを特定の時間に受信できないことを送信者に知らせることができるよう留守メッセージモードにがいファックス送受信機を構成するソフトウェアを該ファックス送受信機が備える事を含む請求項1のファックス送受信機。
【請求項４８】
保存データベースに保存された書類／情報へ内部／外部アクセスできるように参考／ライブラリモードにファックス送受信機を構成するソフトウェアを該ファックス送受信機が備える事を含む請求項1のファックス送受信機。
【請求項４９】
全判のタッチパッドを始動して参加者がインスタントメッセージをスクリプトできるようにタッチパッドモードをファックス送受信機に構成するソフトウェアを該ファックス送受信機が備える事を含む請求項1のファックス送受信機。
【請求項５０】
ボイスメール、ビデオメール及び／またはファックスメールを送信する前にあらかじめ保存してある音声のライブラリと意図された受信者をファックス送受信機が一致させることができるよう音声認知モードにファックス送受信機を構成するソフトウェアを該ファックス送受信機が備える事を含む請求項1のファックス送受信機。
【請求項５１】
送信側ファックス送受信機が複数の受信側ファックス送受信機と共同加入線で通信的に接続することができるようファックス送受信機を共同加入線モードに構成するソフトウェアを該ファックス送受信機が備える事を含む請求項1のファックス送受信機。
【請求項５２】
ファックスの送信者がファックスを受信側ファックス送受信機に電子的／物理的に解放する前にファックスの画像を下見することを必要とするかどうかをファックス送受信機に確認させられるよう書類を見るモードにファックス送受信機を構成するソフトウェアを該ファックス送受信機が備える事を含む請求項1のファックス送受信機。
【請求項５３】
送信者と受信者の双方から署名を必要とする契約／合意書／申し合わせのファックスの送信者と受信者がそれぞれのファックス送受信機で相手の署名を見ることができるようにファックス送受信機を契約モードに構成するソフトウェアを該ファックス送受信機が備える事を含む請求項1のファックス送受信機。
【請求項５４】
小切手用紙の片面につけられた追跡番号とバーコードを備えた小切手用紙を更に備える請求項1のファックス送受信機。
【請求項５５】
ファックス送受信機のセキュリティが破られると同時に警報を始動する請求項1のファックス送受信機。
【請求項５６】
警報が所定のデシベルレベルで可聴式の音声を発する請求項55のファックス送受信機。
【請求項５７】
警報が遠隔地の承認を得た者にファックス送受信機のセキュリティプロトコールが破られたことを伝えるためにその遠隔地の承認を得た者に信号を発する請求項55のファックス送受信機。
【請求項５８】
第一のファックス送受信機が第二のファックス送受信機と通信的に相互接続し、
第一のファックス送受信機がプロセッサーとメモリーを備え、ボイスメール、ビデオメール及び／またはファックスメールを関連する受信者にルーチングするよう構成されており、しかも
第二のファックス送受信機がプロセッサーとメモリーを備え、ボイスメール、ビデオメール及び／またはファックスメールを関連する受信者にルーチングするよう構成されており、
第一のファックス送受信機がボイスメール、ビデオメール及び／またはファックスメールを第二のファックス送受信機の関連する受信者にルーチングするよう構成されているファックスシステム。
【請求項５９】
第一と第二のファックス送受信機がそれぞれ、操作パネルを更に備えている請求項58のファックスシステム。
【請求項６０】
第一と第二のファックス送受信機がそれぞれ、操作表示画面を更に備えている請求項58のファックスシステム。
【請求項６１】
第一と第二のファックス送受信機がそれぞれ、マイクロフォン／スピーカーを更に備えている請求項58のファックスシステム。
【請求項６２】
第一と第二のファックス送受信機がそれぞれ、電話ハンドセットを更に備えている請求項58のファックスシステム。
【請求項６３】
第一と第二のファックス送受信機がそれぞれ、封印したペーパートレイを更に備えている請求項58のファックスシステム。
【請求項６４】
第一と第二のファックス送受信機がそれぞれ、補助ペーパートレイを更に備えている請求項58のファックスシステム。
【請求項６５】
第一と第二のファックス送受信機がそれぞれ、プリンターを更に備えている請求項58のファックスシステム。
【請求項６６】
第一と第二のファックス送受信機がそれぞれ、オーディオ／ビデオ記録カメラを更に備えている請求項58のファックスシステム。
【請求項６７】
第一と第二のファックス送受信機がそれぞれ、モデムを更に備えている請求項58のファックスシステム。
【請求項６８】
第一と第二のファックス送受信機がそれぞれ、キーボードを更に備えている請求項58のファックスシステム。
【請求項６９】
第一と第二のファックス送受信機がそれぞれ、マウスを更に備えている請求項58のファックスシステム。
【請求項７０】
第一と第二のファックス送受信機がそれぞれ、キーパッドを更に備えている請求項58のファックスシステム。
【請求項７１】
キーパッドが電話キーパッドを備えている請求項７０のファックスシステム。
【請求項７２】
第一と第二のファックス送受信機がそれぞれ、周辺機器部品相互接続スロットを更に備えている請求項58のファックスシステム。
【請求項７３】
第一と第二のファックス送受信機がそれぞれ、音声発生回路を更に備えている請求項58のファックスシステム。
【請求項７４】
第一と第二のファックス送受信機がそれぞれ、音声認知回路を更に備えている請求項58のファックスシステム。
【請求項７５】
第一と第二のファックス送受信機がそれぞれ、音声カードを更に備えている請求項58のファックスシステム。
【請求項７６】
第一と第二のファックス送受信機がそれぞれ、ボイスメール、ビデオメール及び／またはファックスメール表示部を更に備えている請求項58のファックスシステム。
【請求項７７】
第一と第二のファックス送受信機がそれぞれ、ペーパースキャナーを更に備えている請求項58のファックスシステム。
【請求項７８】
第一と第二のファックス送受信機がそれぞれ、バーコードリーダーを更に備えている請求項58のファックスシステム。
【請求項７９】
第一と第二のファックス送受信機がそれぞれ、手指／親指指紋スキャナーを更に備えている請求項58のファックスシステム。
【請求項８０】
第一と第二のファックス送受信がそれぞれ、網膜スキャナーを更に備えている請求項58のファックスシステム。
【請求項８１】
第一と第二のファックス送受信機がそれぞれ、スタイラスを更に備えている請求項58のファックスシステム。
【請求項８２】
第一と第二のファックス送受信機がそれぞれ、署名パッドを更に備えている請求項58のファックスシステム。
【請求項８３】
第一と第二のファックス送受信機がそれぞれ、シュレッダーを更に備えている請求項58のファックスシステム。
【請求項８４】
第一と第二のファックス送受信機がそれぞれ、ハードドライブを更に備えている請求項58のファックスシステム。
【請求項８５】
第一と第二のファックス送受信機がそれぞれ、取り外し可能なドライブを更に備えている請求項58のファックスシステム。
【請求項８６】
ファックス送受信機から送信されたボイスメール、ビデオメール及び／またはファックスメールが受信側ファックス送受信機の受信者によって検索されたかどうかをユーザーに確認させられるように確認モードにファックス送受信機を構成するファックスソフトウェアを該第一と第二のファックス送受信機がそれぞれ備える事を含む請求項58のファックスシステム。
【請求項８７】
ユーザーが受信側ファックス送受信機に送信されたボイスメール、ビデオメール及び／またはファックスメール全てについて配信証明要求の最新情報を自動的に受信できるように配信証明要求モードにファックス送受信機を構成するファックスソフトウェアを該第一と第二のファックス送受信機がそれぞれ備える事を含む請求項58のファックスシステム。
【請求項８８】
ボイスメール、ファックス送受信機から送信されたビデオメール及び／またはファックスメールが関連する検索先ファックス送受信機の受信者によって検索されたかどうかをユーザーが迅速に確認できるようにチェックモードにファックス送受信機を構成するソフトウェアを該第一と第二のファックス送受信機がそれぞれ備える事を含む請求項58のファックスシステム。
【請求項８９】
ユーザーが金銭の小切手を安全にファックスできるようファックス小切手モードにファックス送受信機を構成するソフトウェアを該第一と第二のファックス送受信機がそれぞれ備える事を含む請求項58のファックスシステム。
【請求項９０】
ファックスを見る者が「読み取り専用」のボイスメール、ビデオメール及び／またはファックスメールを見る／聞くことができるよう使用者閲覧専用モードにファックス送受信機を構成するソフトウェアを該第一と第二のファックス送受信機がそれぞれ備える事を含む請求項58のファックスシステム。
【請求項９１】
該第一と第二のファックス送受信機がそれぞれ、目の穴のついた引き込み式の画面カバーを更に備え、ファックスを見る者が「読み取り専用」のボイスメール、ビデオメール及び／またはファックスメールを見る／聞くことができるよう使用者閲覧専用モードに構成されている請求項90のファックス送受信機。
【請求項９２】
ユーザーが手指／親指指紋スキャンで意図された受信者の真偽を確認できるよう手指／親指指紋スキャンモードにファックス送受信機を構成するソフトウェアを該第一と第二のファックス送受信機がそれぞれ備える事を含む請求項58のファックスシステム。
【請求項９３】
ユーザーが網膜スキャンで意図された受信者の真偽を確認できるよう網膜スキャンモードにファックス送受信機を構成するソフトウェアを該第一と第二のファックス送受信機がそれぞれ備える事を含む請求項58のファックスシステム。
【請求項９４】
ユーザーがボイスメール、ビデオメール及び／またはファックスメールを見る／聞くことしかできないように読み取り専用モードをファックス送受信機に構成するソフトウェアを該第一と第二のファックス送受信機がそれぞれ備える事を含む請求項58のファックスシステム。
【請求項９５】
ボイスメール、ビデオメール及び／またはファックスメールがユーザーのファックス送受信機で受信されたことを自動的にユーザーに通知することができるよう即時状況モードにファックス送受信機を構成するソフトウェアを該第一と第二のファックス送受信機がそれぞれ備える事を含む請求項58のファックスシステム。
【請求項９６】
ボイスメール、ビデオメール及び／またはファックスメールの追跡番号をファックス送受信機にコピー送信することによってボイスメール、ビデオメール及び／またはファックスメールが始動されたことをユーザーに確認させるよう複写（CC)モードにファックス送受信機を構成するソフトウェアを該第一と第二のファックス送受信機がそれぞれ備える事を含む請求項58のファックスシステム。
【請求項９７】
先着順に着信する電話呼び出しを配置し、呼び出しを行なう者にファックス送受信機が送信者の特定のボイスメール、ビデオメール及び／またはファックスメールを受信するまでにかかるおおよその時間を示すプロンプトを与えるファックスキューをファックス送受信に備えるためにファックスキューモードをファックス送受信機に構成するソフトウェアを該第一と第二のファックス送受信機がそれぞれ備える事を含む請求項58のファックスシステム。
【請求項９８】
受信側ファックス送受信機が意図されたファックス送受信機であるかどうかをユーザーが確認できるよう識別モードをファックス送受信機に構成するソフトウェアを該第一と第二のファックス送受信機がそれぞれ備える事を含む請求項58のファックスシステム。
【請求項９９】
相互接続する受信側ファックス送受信機に受信側ファックス送受信機で利用可能な内線番号のディレクトリをユーザーがプロンプトすることができるようにディレクトリプロンプトモードにファックス送受信機を構成するソフトウェアを該第一と第二のファックス送受信機がそれぞれ備える事を含む請求項58のファックスシステム。
【請求項１００】
ファックス送受信機のユーザーがインスタントメッセージングや電子メールと同様のやり方で通信できるように私はここにいます、そこにいるのは誰ですか（IHWT)モードにファックス送受信機を構成するソフトウェアを該第一と第二のファックス送受信機がそれぞれ備える事を含む請求項58のファックスシステム。
【請求項１０１】
該第一と第二のファックス送受信機が別のファックス送受信機とインスタントメッセージングや電子メールと同様のやり方で通信できるように構成される、請求項100のファックス送受信機。
【請求項１０２】
該第一と第二のファックス送受信機がネットワーク接続と相互接続するコンピューティングデバイスとインスタントメッセージングや電子メールと同様のやり方で通信できるように構成される、請求項100のファックス送受信機。
【請求項１０３】
カメラを備えたファックス送受信機がボイスメール、ビデオメール及び／またはファックスメール、人物や物の画像をユーザーに提供できるようポートレートモードにファックス送受信機を構成するソフトウェアを該第一と第二のファックス送受信機がそれぞれ備える事を含む請求項58のファックスシステム。
【請求項１０４】
留守メッセージが受信側ファックス送受信機に配置され、受信側ファックス送受信機の特定の人物がボイスメール、ビデオメール及び／またはファックスメールを特定の時間に受信できないことを送信者に知らせることができるよう留守メッセージモードにファックス送受信機を構成するソフトウェアを該第一と第二のファックス送受信機がそれぞれ備える事を含む請求項58のファックスシステム。
【請求項１０５】
保存データベースに保存された書類／情報へ内部／外部アクセスできるように参考／ライブラリモードにファックス送受信機を構成するソフトウェアを該第一と第二のファックス送受信機がそれぞれ備える事を含む請求項58のファックスシステム。
【請求項１０６】
全判のタッチパッドを始動して参加者がインスタントメッセージをスクリプトできるようにタッチパッドモードをファックス送受信機に構成するソフトウェアを該第一と第二のファックス送受信機がそれぞれ備える事を含む請求項58のファックスシステム。
【請求項１０７】
ボイスメール、ビデオメール及び／またはファックスメールを送信する前にあらかじめ保存してある音声のライブラリと意図された受信者をファックス送受信機が一致させることができるよう音声認知モードに対応するファックス送受信機を構成するソフトウェアを該第一と第二のファックス送受信機がそれぞれ備える事を含む請求項58のファックスシステム。
【請求項１０８】
送信側ファックス送受信機が複数の受信側ファックス送受信機と共同加入線で通信的に接続することができるよう対応するファックス送受信機を共同加入線モードに構成するソフトウェアを該第一と第二のファックス送受信機がそれぞれ備える事を含む請求項58のファックスシステム。
【請求項１０９】
ファックスの送信者がファックスを受信側ファックス送受信機に電子的／物理的に解放する前にファックスの画像を下見することを必要とするかどうかをファックス送受信機に確認させられるよう書類を見るモードに対応するファックス送受信機を構成するソフトウェアを該第一と第二のファックス送受信機がそれぞれ備える事を含む請求項58のファックスシステム。
【請求項１１０】
送信者と受信者の双方から署名を必要とする契約／合意書／申し合わせのファックスの送信者と受信者が対応するファックス送受信機で相手の署名を見ることができるようファックス送受信機を契約モードに構成するソフトウェアを該第一と第二のファックス送受信機がそれぞれ備える事を含む請求項58のファックスシステム。
【請求項１１１】
小切手用紙の片面につけられた追跡番号とバーコードを備えた小切手用紙を該第一と第二のファックス送受信機がそれぞれ備える事を含む請求項58のファックスシステム。
【請求項１１２】
該第一と第二のファックス送受信機がファックス送受信機のセキュリティが破られると同時に警報を始動するようにそれぞれ構成される、請求項58のファックスシステム。
【請求項１１３】
警報が所定のデシベルレベルで可聴式の音声を発する請求項112のファックシステム。
【請求項１１４】
警報が遠隔地の承認を得た者にファックス送受信機のセキュリティプロトコールが破られたことを伝えるためにその遠隔地の承認を得た者に信号を発する請求項112のファックスシステム。
【請求項１１５】
ボイスメール、ビデオメール及び／またはファックスメールをルーチングする方法において、
第一のファックス送受信機を提供し、
第二のファックス送受信機を提供し、
第一のファックス送受信機と第二のファックス送受信機をボイスメール、ビデオメール及び／またはファックスメールの送信のために通信的に相互接続し、
受信者のファックスコードを備えた第一のボイスメール、ビデオメール及び／またはファックスメールを第一のファックス送受信機から第二のファックス送受信機へ送信し、
受信者のファックスコードを備えた第一のボイスメール、ビデオメール及び／またはファックスメールを第二のファックス送受信機で受信し、
第二のファックス送受信機の受信者のファックスコードの再度入力に基づいて第二のファックス送受信機から第一のボイスメール、ビデオメール及び／またはファックスメールへのアクセスを制御することを特徴とする方法。
【請求項１１６】
第一と第二のファックス送受信機にそれぞれ、操作パネルを更に備える事を含む請求項115の方法。
【請求項１１７】
第一と第二のファックス送受信機にそれぞれ、操作表示画面を更に備える事を含む請求項115の方法。
【請求項１１８】
第一と第二のファックス送受信機にそれぞれ、マイクロフォン／スピーカーを更に備える事を含む請求項115の方法。
【請求項１１９】
第一と第二のファックス送受信機にそれぞれ、電話ハンドセットを更に備える事を含む請求項115の方法。
【請求項１２０】
第一と第二のファックス送受信機にそれぞれ、封印したペーパートレイを更に備える事を含む請求項115の方法。
【請求項１２１】
第一と第二のファックス送受信機にそれぞれ、補助ペーパートレイを更に備える事を含む請求項115の方法。
【請求項１２２】
第一と第二のファックス送受信機にそれぞれ、プリンターを更に備える事を含む請求項115の方法。
【請求項１２３】
第一と第二のファックス送受信機にそれぞれ、オーディオ／ビデオ記録カメラを更に備える事を含む請求項115の方法。
【請求項１２４】
第一と第二のファックス送受信機にそれぞれ、モデムを更に備える事を含む請求項115の方法。
【請求項１２５】
第一と第二のファックス送受信機にそれぞれ、キーボードを更に備える事を含む請求項115の方法。
【請求項１２６】
第一と第二のファックス送受信機にそれぞれ、マウスを更に備える事を含む請求項115の方法。
【請求項１２７】
第一と第二のファックス送受信機にそれぞれ、キーパッドを更に備える事を含む請求項115の方法。
【請求項１２８】
電話キーパッドを電話キーパッドとして更に備える事を含む請求項1２７の方法。
【請求項１２９】
第一と第二のファックス送受信機にそれぞれ、周辺機器部品相互接続スロットを更に備える事を含む請求項115の方法。
【請求項１３０】
第一と第二のファックス送受信機にそれぞれ、音声発生回路を更に備える事を含む請求項115の方法。
【請求項１３１】
第一と第二のファックス送受信機にそれぞれ、音声認知回路を更に備える事を含む請求項115の方法。
【請求項１３２】
第一と第二のファックス送受信機にそれぞれ、音声カードを更に備える事を含む請求項115の方法。
【請求項１３３】
第一と第二のファックス送受信機にそれぞれ、ボイスメール、ビデオメール及び／またはファックスメール表示部を更に備える事を含む請求項115の方法。
【請求項１３４】
第一と第二のファックス送受信機にそれぞれ、ペーパースキャナーを更に備える事を含む請求項115の方法。
【請求項１３５】
第一と第二のファックス送受信機にそれぞれ、バーコードリーダーを備える事を更に含む請求項115の方法。
【請求項１３６】
第一と第二のファックス送受信機にそれぞれ、手指／親指指紋スキャナーを備える事を含む請求項115の方法。
【請求項１３７】
第一と第二のファックス送受信機にそれぞれ、網膜スキャナーを更に備える事を含む請求項115の方法。
【請求項１３８】
第一と第二のファックス送受信機にそれぞれ、スタイラスを備える事を更に含む請求項115の方法。
【請求項１３９】
第一と第二のファックス送受信機にそれぞれ、署名パッドを更に備える事を含む請求項115の方法。
【請求項１４０】
第一と第二のファックス送受信機にそれぞれ、シュレッダーを更に備える事を含む請求項115の方法。
【請求項１４１】
第一と第二のファックス送受信機にそれぞれ、ハードドライブを更に備える事を含む請求項115の方法。
【請求項１４２】
第一と第二のファックス送受信機にそれぞれ、取り外し可能なドライブを更に備える事を含む請求項115の方法。
【請求項１４３】
ファックス送受信機から送信されたボイスメール、ビデオメール及び／またはファックスメールが受信側ファックス送受信機の受信者によって検索されたかどうかをユーザーに確認させられるように確認モードに第一と第二のファックス送受信機を構成することを更に含む請求項115の方法。
【請求項１４４】
ユーザーが受信側ファックス送受信機に送信されたボイスメール、ビデオメール及び／またはファックスメール全てについて配信証明要求の最新情報を自動的に検索できるように配信証明要求モードに第一と第二のファックス送受信機を構成することを更に含む請求項115の方法。
【請求項１４５】
ボイスメール、ファックス送受信機から送信されたビデオメール及び／またはファックスメールが関連する検索先ファックス送受信機の受信者によって検索されたかどうかをユーザーが迅速に確認できるようにチェックモードに第一と第二のファックス送受信機を構成することを更に含む請求項115の方法。
【請求項１４６】
ユーザーが金銭の小切手を安全にファックスできるようファックス小切手モードに第一と第二のファックス送受信機を構成することを更に含む請求項115の方法。
【請求項１４７】
ファックスを見る者が「読み取り専用」のボイスメール、ビデオメール及び／またはファックスメールを見る／聞くことができるよう使用者閲覧専用モードに第一と第二のファックス送受信機を構成することを更に含む請求項115の方法。
【請求項１４８】
第一と第二のファックス送受信機がそれぞれ目の穴のついた引き込み式の画面カバーを備え、ファックスを見る者が「読み取り専用」のボイスメール、ビデオメール及び／またはファックスメールを見る／聞くことができるよう使用者閲覧専用モードを構成されていることを更に含む請求項147の方法。
【請求項１４９】
149.  ユーザーが手指／親指指紋スキャンで意図された受信者の真偽を確認できるよう手指／親指指紋スキャンモードに第一と第二のファックス送受信機を構成することを更に含む請求項115の方法。
【請求項１５０】
ユーザーが網膜スキャンで意図された受信者の真偽を確認できるよう網膜スキャンモードに第一と第二のファックス送受信機を構成することを更に含む請求項115の方法。
【請求項１５１】
ユーザーがボイスメール、ビデオメール及び／またはファックスメールを見る／聞くことしかできないように読み取り専用モードを第一と第二のファックス送受信機に構成することを更に含む請求項115の方法。
【請求項１５２】
ボイスメール、ビデオメール及び／またはファックスメールがユーザーのファックス送受信機で受信されたことを自動的にユーザーに通知することができるよう即時状況モードに第一と第二のファックス送受信機を構成することを更に含む請求項115の方法。
【請求項１５３】
ボイスメール、ビデオメール及び／またはファックスメールの追跡番号をファックス送受信機にコピー送信することによってボイスメール、ビデオメール及び／またはファックスメールが始動されたことをユーザーに確認させるよう複写（CC)モードに第一と第二のファックス送受信機を構成することを更に含む請求項115の方法。
【請求項１５４】
先着順に着信する電話呼び出しを配置し、呼び出しを行なう者にファックス送受信機が送信者の特定のボイスメール、ビデオメール及び／またはファックスメールを受信するまでにかかるおおよその時間を示すプロンプトを与えるファックスキューをファックス送受信に備えるためにファックスキューモードを第一と第二のファックス送受信機に構成することを更に含む請求項115の方法。
【請求項１５５】
受信側ファックス送受信機が意図されたファックス送受信機であるかどうかをユーザーが確認できるよう識別モードを第一と第二のファックス送受信機に構成することを更に含む請求項115の方法。
【請求項１５６】
相互接続する受信側ファックス送受信機に受信側ファックス送受信機で利用可能な内線番号のディレクトリをユーザーがプロンプトすることができるようにディレクトリプロンプトモードに第一と第二のファックス送受信機を構成することを更に含む請求項115の方法。
【請求項１５７】
ファックス送受信機のユーザーがインスタントメッセージングや電子メールと同様のやり方で通信できるように私はここにいます、そこにいるのは誰ですか（IHWT)モードに第一と第二のファックス送受信機を構成することを更に含む請求項115の方法。
【請求項１５８】
別のファックス送受信機とインスタントメッセージングや電子メールと同様のやり方で通信できるように第一と第二のファックス送受信機を構成することを更に含む請求項157の方法。
【請求項１５９】
ネットワーク接続と相互接続するコンピューティングデバイスとインスタントメッセージングや電子メールと同様のやり方で通信できるように第一と第二のファックス送受信機を構成することを更に含む請求項157の方法。
【請求項１６０】
カメラを備えたファックス送受信機がボイスメール、ビデオメール及び／またはファックスメール、人物や物の画像をユーザーに提供できるようポートレートモードに第一と第二のファックス送受信機を構成することを更に含む請求項115の方法。
【請求項１６１】
留守メッセージが受信側ファックス送受信機にいれられ、受信側ファックス送受信機の特定の人物がボイスメール、ビデオメール及び／またはファックスメールを特定の時間にいないことを送信者に知らせることができるよう留守メッセージモードに第一と第二のファックス送受信機を構成することを更に含む請求項115の方法。
【請求項１６２】
保存データベースに保存された書類／情報を内部／外部アクセスできるように参考／ライブラリモードに第一と第二のファックス送受信機を構成することを更に含む請求項115の方法。
【請求項１６３】
全判のタッチパッドを始動して参加者がインスタントメッセージをスクリプトできるようにタッチパッドモードを第一と第二のファックス送受信機に構成することを更に含む請求項115の方法。
【請求項１６４】
ボイスメール、ビデオメール及び／またはファックスメールを送信する前にあらかじめ保存してある音声のライブラリと意図された受信者をファックス送受信機が一致させることができるよう音声認知モードに第一と第二のファックス送受信機を構成することを更に含む請求項115の方法。
【請求項１６５】
送信側ファックス送受信機が複数の受信側ファックス送受信機と共同加入線で通信的に接続することができるよう第一と第二のファックス送受信機を共同加入線モードに構成することを更に含む請求項115の方法。
【請求項１６６】
ファックスの送信者がファックスを受信側ファックス送受信機に電子的／物理的に解放する前にファックスの画像を下見することを必要とするかどうかをファックス送受信機に確認させられるよう書類を見るモードに第一と第二のファックス送受信機を構成することを更に含む請求項115の方法。
【請求項１６７】
送信者と受信者の双方から署名を必要とする契約／合意書／申し合わせのファックスの送信者と受信者が対応するファックス送受信機で相手の署名を見ることができるよう第一と第二のファックス送受信機を契約モードに構成することを更に含む請求項115の方法。
【請求項１６８】
小切手用紙の片面につけられた追跡番号とバーコードを備えた小切手用紙を備える第一と第二のファックス送受信機を構成することを更に含む請求項115の方法。
【請求項１６９】
関連するファックス送受信機のセキュリティが破られると同時に警報を始動するように第一と第二のファックス送受信機を構成することを更に含む請求項115の方法。
【請求項１７０】
警報が所定のデシベルレベルで可聴式の音声を発する請求項169の方法。
【請求項１７１】
警報が遠隔地の承認を得た者にファックス送受信機のセキュリティプロトコールが破られたことを伝えるためにその遠隔地の承認を得た者に信号を発する請求項169の方法。
【請求項１７２】
ファックス送信印刷書類をスキャンできる記録カメラと、
ファックス送信に電子署名を行なえる署名パッドと、
受信したファックスの印刷書類を受信でき、透明カバーを備えユーザーからは封印される封印したペーパートレイと、
ファックスの受信者にファックスが解放される前にファックスの画像を表示できるボイスメール、ビデオメール及び／またはファックスメール表示部を備えることを特徴とするファックス送受信機。
【請求項１７３】
ファックス送受信機のボイスメール、ビデオメール及び／またはファックスメール表示部が分割画面技術を使ってファックスを表示できる請求項172のファックス送受信機。
【請求項１７４】
ファックスがファックス送受信機によって送信された後、ファックスが印刷される前に、ファックス送受信機のボイスメール、ビデオメール及び／またはファックスメール表示部がファックスを表示できる請求項172のファックス送受信機。
【請求項１７５】
ファックス送受信機のボイスメール、ビデオメール及び／またはファックスメール表示部が分割画面技術を使ってファックスを表示できる請求項
17４のファックス送受信機。
【請求項１７６】
ファックスが表示された後、ファックスが印刷される前に、署名パッドがファックスに電子署名を行なうことができる請求項172のファックス送受信機。
【請求項１７７】
ファックスが印刷された後、ファックスが物理的に解放される前に、署名パッドがファックスに電子署名を行なうことができる請求項172のファックス送受信機。
【請求項１７８】
記録カメラが封印したペーパートレイの透明カバーの上部に設置される、請求項172のファックス送受信機。
【請求項１７９】
遠隔地のファックス送受信機の番号をダイアルし、前記の遠隔地のファックス送受信機の記録カメラを始動するためにファックスとともに書類を見るモードを送信することができる操作パネルを更に含む請求項172のファックス送受信機。
【請求項１８０】
ファックス送受信機の記録カメラを始動するためにファックス送受信機の操作パネルがファックスとともに書類を見るコードを送信することができる請求項179のファックス送受信機。
【請求項１８１】
ファックス送受信機が遠隔地のファックス送受信機の番号をダイアルし、承認／不可のコードをファックスに送信してファックスの印刷書類の表面に承認／不可のメッセージを印刷させ、遠隔地のファックス送受信機から印刷書類を押し出させる、請求項172のファックス送受信機。
【請求項１８２】
ファックス送受信機が遠隔地のファックス送受信機の番号をダイアルし、承認／不可のコードをファックスに送信してファックスの印刷書類の表面に承認／不可のメッセージを印刷させ、ファックス送受信機から印刷書類を押し出させる、請求項172のファックス送受信機。
【請求項１８３】
ファックス送受信機がファックス送受信機で受信されたファックスを圧縮、解凍して、ファックスを送ったファックス送受信機のボイスメール、ビデオメール及び／またはファックスメール表示部に転送することができる請求項172のファックス送受信機。
【請求項１８４】
コンピュータ上のファックス送受信機によって受信されたファックスを電子的に見ることができ、コンピュータによってファックス送受信機を制御することができるファックス送受信機と相互接続するコンピュータを更に含む請求項172のファックス送受信機。
【請求項１８５】
第二のファックス送受信機と通信的に相互接続する第一のファックス送受信機のファックスシステムにおいて、
該第一のファックス送受信機が、
ファックスの印刷書類をスキャンすることができる記録カメラと、
ファックスに電子署名を行なえる署名パッドと、
受信したファックスの印刷書類を受信でき、透明カバーを備えユーザーからは封印される封印したペーパートレイと、
ファックスの受信者にファックスが解放される前にファックスの画像を表示できるボイスメール、ビデオメール及び／またはファックスメール表示部を備え、
該第二のファックス送受信機が、
ファックスの印刷書類をスキャンすることができる記録カメラと、
ファックスに電子署名を行なえる署名パッドと、
受信したファックスの印刷書類を受信でき、透明カバーを備えユーザーからは封印される封印したペーパートレイと、
ファックスの受信者にファックスが解放される前にファックスの画像を表示できるボイスメール、ビデオメール及び／またはファックスメール表示部を備え、
該第一のファックス送受信機が該第二のファックス送受信機にファックスを送信する際、該第一のファックス送受信機が該第二のファックス送受信機の機能を制御し、該第二のファックス送受信機が該第一のファックス送受信機にファックスを送信する際、該第二のファックス送受信機が該第一のファックス送受信機の機能を制御することを特徴とするファックスシステム。
【請求項１８６】
ファックスが第一または第二のファックス送受信機によって送信された後、ファックスが電子的に解放される前に第一または第二のファックス送受信機いずれかのボイスメール、ビデオメール及び／またはファックスメール表示部がファックスを表示できる請求項185のファックスシステム。
【請求項１８７】
第一または第二のファックス送受信機いずれかのボイスメール、ビデオメール及び／またはファックスメール表示部が分割画面技術を使ってファックスを表示できる請求項186のファックスシステム。
【請求項１８８】
ファックスが第一または第二のファックス送受信機によって送信された後、ファックスが印刷される前に、第一または第二のファックス送受信機いずれかのボイスメール、ビデオメール及び／またはファックスメール表示部がファックスを表示できる請求項185のファックスシステム。
【請求項１８９】
第一または第二のファックス送受信機いずれかのボイスメール、ビデオメール及び／またはファックスメール表示部が分割画面技術を使ってファックスを表示できる請求項188のファックスシステム。
【請求項１９０】
ファックスが第一または第二のファックス送受信機によって印刷された後、ファックスが物理的に解放される前に、第一または第二のファックス送受信機いずれかのボイスメール、ビデオメール及び／またはファックスメール表示部がファックスを表示できる請求項185のファックスシステム。
【請求項１９１】
第一または第二のファックス送受信機いずれかのボイスメール、ビデオメール及び／またはファックスメール表示部が分割画面技術を使ってファックスを表示できる請求項190のファックスシステム。
【請求項１９２】
ファックスが表示された後、ファックスが印刷される前に、第一または第二のファックス送受信機いずれかの署名パッドがファックスに電子署名を行なうことができる請求項185のファックスシステム。
【請求項１９３】
ファックスが印刷された後、ファックスが物理的に解放される前に、第一または第二のファックス送受信機がいずれかの署名パッドがファックスに電子署名を行なうことができる請求項185のファックスシステム。
【請求項１９４】
第一または第二のファックス送受信機のいずれかの記録カメラが第一または第二のファックス送受信機のそれぞれの封印したペーパートレイの透明カバーの上部に設置される、請求項185のファックスシステム。
【請求項１９５】
遠隔地のファックス送受信機の番号をダイアルし、前記の遠隔地のファックス送受信機の記録カメラを始動するためにファックスとともに書類を見るモードを送信することができる操作パネルを第一と第二のファックス送受信機それぞれに更に含む請求項185のファックスシステム。
【請求項１９６】
関連する第一または第二のファックス送受信機の記録カメラを始動するために第一と第二のファックス送受信機それぞれの操作パネルがファックスとともに書類を見るモードを送信することができる請求項195のファックスシステム。
【請求項１９７】
第一と第二のファックス送受信機がそれぞれ遠隔地のファックス送受信機の番号をダイアルし、承認／不可のコードをファックスに送信してファックスの印刷書類の表面に承認／不可のメッセージを印刷させ、遠隔地のファックス送受信機から印刷書類を押し出させる事ができる請求項185のファックスシステム。
【請求項１９８】
第一と第二のファックス送受信機が遠隔地のファックス送受信機の番号をダイアルし、承認／不可のコードをファックスに送信してファックスの印刷書類の表面に承認／不可のメッセージを印刷させ、更に第一と第二のファックス送受信機からそれぞれ印刷書類を押し出させる事ができる請求項197のファックスシステム。
【請求項１９９】
第一と第二のファックス送受信機がそれぞれ第一と第二のファックス送受信機で受信されたファックスを圧縮、解凍して、ファックスを行なったファックス送受信機のボイスメール、ビデオメール及び／またはファックスメール表示部に転送することができる請求項185のファックスシステム。
【請求項２００】
コンピュータ上の第一または第二のファックス送受信機によって受信されたファックスを電子的に見ることができ、コンピュータによって第一または第二のファックス送受信機を制御することができる第一または第二のいずれかのファックス送受信機と相互接続するコンピュータを更に含む請求項185のファックスシステム。
【請求項２０１】
ファックスを見るための方法において、
第一のファックス送受信機が記録カメラとボイスメール、ビデオメール及び／またはファックスメール表示部を備え、
第二のファックス送受信機が記録カメラとボイスメール、ビデオメール及び／またはファックスメール表示部を備え、
第一のファックス送受信機と第二のファックス送受信機を一番目の取引きのために通信的に相互接続し、
第一のファックス送受信機から第二のファックス送受信機へ第一番目のファックスを送信し、
第二のファックス送受信機で第一番目のファックスを受信し、
第一番目のファックスの送信が終了するまで第二のファックス送受信機を第一のファックス送受信機で制御し、
第一のファックス送受信機のボイスメール、ビデオメール及び／またはファックスメール表示部で第一番目のファックスの画像を下見し、
第一のファックス送受信機のボイスメール、ビデオメール及び／またはファックスメール表示部で第一番目のファックスの画像を下見した後、第二のファックス送受信機から第一番目のファックスを電子的に解放することを特徴とする方法。
【請求項２０２】
第一のファックス送受信機のボイスメール、ビデオメール及び／またはファックスメール表示部で第一番目のファックスの画像を下見するステップは分割画面技術を使って第一のファックス送受信機のボイスメール、ビデオメール及び／またはファックスメール表示部で第一番目のファックスの画像を下見することを更に含む請求項201の方法。
【請求項２０３】
第一のファックス送受信機のボイスメール、ビデオメール及び／またはファックスメール表示部で第一番目のファックスの画像を下見した後、第一番目のファックスを電子的に解放する前に、第二のファックス送受信機のボイスメール、ビデオメール及び／またはファックスメール表示部で第一番目のファックスの画像を下見することを更に含む請求項201の方法。
【請求項２０４】
第二のファックス送受信機のボイスメール、ビデオメール及び／またはファックスメール表示部で第一番目のファックスの画像を下見するステップは分割画面技術を使って第二のファックス送受信機のボイスメール、ビデオメール及び／またはファックスメール表示部で第一番目のファックスの画像を下見することを更に含む請求項203の方法。
【請求項２０５】
第一番目のファックスの画像を下見した後、第一番目のファックスを電子的に解放する前に、第一のファックス送受信機を使って第一番目のファックスに電子的に署名することを更に含む請求項201の方法。
【請求項２０６】
第一番目のファックスを電子的に解放した後で第二のファックス送受信機で第一番目のファックスの画像を印刷し、
第二のファックス送受信機の記録カメラで第一番目のファックスの印刷画像をスキャンし、
第一のファックス送受信機のボイスメール、ビデオメール及び／またはファックスメール表示部で第一番目のファックスのスキャンされた印刷画像を表示し、
第一のファックス送受信機で第一番目のファックスのスキャンされた印刷画像を下見した後で、第二のファックス送受信機から第一番目のファックスのスキャンされた印刷画像を物理的に解放することを更に含む請求項201の方法。
【請求項２０７】
第一のファックス送受信機のボイスメール、ビデオメール及び／またはファックスメール表示部で第一番目のファックスのスキャンされた印刷画像を表示するステップは分割画像技術を使った第一のファックス送受信機のボイスメール、ビデオメール及び／またはファックスメール表示部で第一番目のファックスのスキャンされた印刷画像を表示することを更に含む請求項206の方法。
【請求項２０８】
第一のファックス送受信機のボイスメール、ビデオメール及び／またはファックスメール表示部で第一番目のファックスのスキャンされた印刷画像を表示した後、第一番目のファックスを物理的に解放する前に、第二のファックス送受信機のボイスメール、ビデオメール及び／またはファックスメール表示部で第一番目のファックスのスキャンされた印刷画像を表示することを更に含む請求項206の方法。
【請求項２０９】
第二のファックス送受信機のボイスメール、ビデオメール及び／またはファックスメール表示部で第一番目のファックスのスキャンされた印刷画像を表示するステップは分割画面技術を使って第二のファックス送受信機のボイスメール、ビデオメール及び／またはファックスメール表示部で第一番目のファックスのスキャンされた印刷画像を表示することを更に含む請求項208の方法。
【請求項２１０】
第一番目のファックスの画像を印刷した後、第一番目のファックスを物理的に解放する前に、第一のファックス送受信機を使って第一番目のファックスに電子的に署名をすることを更に含む請求項206の方法。
【請求項２１１】
第一番目のファックスの画像を印刷した後、第一番目のファックスを物理的に解放する前に、第二のファックス送受信機を使って第一番目のファックスに電子的に署名することを更に含む請求項206の方法。
【請求項２１２】
第一番目のファックスを電子的に解放した後で第一のファックス送受信機で第一番目のファックスの画像を印刷し、
第一のファックス送受信機の記録カメラで第一番目のファックスの印刷画像をスキャンし、
第一のファックス送受信機のボイスメール、ビデオメール及び／またはファックスメール表示部で第一番目のファックスのスキャンされた印刷画像を表示し、
第一のファックス送受信機で第一番目のファックスのスキャンされた印刷画像を下見した後で、第一のファックス送受信機から第一番目のファックスのスキャンされた印刷画像を物理的に解放することを更に含む請求項206の方法。
【請求項２１３】
第一のファックス送受信機のボイスメール、ビデオメール及び／またはファックスメール表示部で第一番目のファックスのスキャンされた印刷画像を表示するステップは分割画像技術を使った第一のファックス送受信機のボイスメール、ビデオメール及び／またはファックスメール表示部で第一番目のファックスのスキャンされた印刷画像を表示することを更に含む請求項212の方法。
【請求項２１４】
第一のファックス送受信機のボイスメール、ビデオメール及び／またはファックスメール表示部で第一番目のファックスのスキャンされた印刷画像を表示した後、第一番目のファックスを物理的に解放する前に、第二のファックス送受信機のボイスメール、ビデオメール及び／またはファックスメール表示部で第一番目のファックスのスキャンされた印刷画像を表示することを更に含む請求項212の方法。
【請求項２１５】
第二のファックス送受信機のボイスメール、ビデオメール及び／またはファックスメール表示部で第一番目のファックスのスキャンされた印刷画像を表示するステップは分割画面技術を使って第二のファックス送受信機のボイスメール、ビデオメール及び／またはファックスメール表示部で第一番目のファックスのスキャンされた印刷画像を表示することを更に含む請求項214の方法。
【請求項２１６】
第一番目のファックスの画像を印刷した後、第一番目のファックスを物理的に解放する前に、第一のファックス送受信機を使って第一番目のファックスに電子的に署名をすることを更に含む請求項212の方法。
【請求項２１７】
第一番目のファックスの画像を印刷した後、第一番目のファックスを物理的に解放する前に、第二のファックス送受信機を使って第一番目のファックスに電子的に署名することを更に含む請求項212の方法。
【請求項２１８】
第一番目のファックスを送信するステップが、
第一番目のファックスとともに書類を見るモードを送信し、
第二のファックス送受信機の記録カメラを始動することを更に含む請求項201の方法。
【請求項２１９】
第一番目のファックスを送信するステップが、
第一のファックスとともに書類を見るモードを送信し、
第一のファックス送受信機の記録カメラを始動することを更に含む請求項201の方法。
【請求項２２０】
第一番目のファックスを送信するステップが、
第一のファックスとともに承認／不可のコードを送信し、
第一番目のファックスのスキャンされた印刷画像の表面に承認／不可のメッセージを印刷し、
第一番目のファックスのスキャンされた印刷画像を押し出すことを含む請求項201の方法。
【請求項２２１】
コンピュータを第一のファックス送受信機と相互接続し、
コンピュータで第一のファックス送受信機の機能を制御することを更に含む請求項201の方法。
【請求項２２２】
第二の取引のために第二のファックス送受信機と第一のファックス送受信機を通信的に相互接続し、
第二のファックス送受信機から第一のファックス送受信機へ第二番目のファックスを送信し、
第一のファックス送受信機で第二番目のファックスを受信し、
第二番目のファックスを送信する第二の取引が終了するまで第二のファックス送受信機で第一のファックス送受信機を制御し、
第二のファックス送受信機のボイスメール、ビデオメール及び／またはファックスメール表示部で第二番目のファックスの画像を下見し、
第二のファックス送受信機で第二番目のファックスの画像を下見した後で第二番目のファックスを電子的に解放することを更に含む請求項201の方法。
【請求項２２３】
第二のファックス送受信機のボイスメール、ビデオメール及び／またはファックスメール表示部で第二番目のファックスの画像を下見するステップは分割画面技術を使って第二のファックス送受信機のボイスメール、ビデオメール及び／またはファックスメール表示部で第二番目のファックスの画像を下見することを更に含む請求項222の方法。
【請求項２２４】
第二のファックス送受信機のボイスメール、ビデオメール及び／またはファックスメール表示部で第二番目のファックスの画像を下見した後、第二番目のファックスを電子的に解放する前に、第一のファックス送受信機のボイスメール、ビデオメール及び／またはファックスメール表示部で第二番目のファックスの画像を下見することを更に含む請求項222の方法。
【請求項２２５】
第一のファックス送受信機のボイスメール、ビデオメール及び／またはファックスメール表示部で第二番目のファックスの画像を下見するステップは分割画面技術を使って第一のファックス送受信機のボイスメール、ビデオメール及び／またはファックスメール表示部で第二番目のファックスの画像を下見することを更に含む請求項224の方法。
【請求項２２６】
第二番目のファックスの画像を下見した後、第二番目のファックスを電子的に解放する前に、第二のファックス送受信機を使って第二番目のファックスに電子的に署名することを更に含む請求項222の方法。
【請求項２２７】
第二番目のファックスの画像を下見した後、第二番目のファックスを電子的に解放する前に、第一のファックス送受信機を使って第二番目のファックスに電子的に署名することを更に含む請求項222の方法。
【請求項２２８】
第二番目のファックスを電子的に解放した後で第一のファックス送受信機で第二番目のファックスの画像を印刷し、
第一のファックス送受信機の記録カメラで第二番目のファックスの印刷画像をスキャンし、
第二のファックス送受信機のボイスメール、ビデオメール及び／またはファックスメール表示部で第二番目のファックスのスキャンされた印刷画像を表示し、
第二のファックス送受信機で第二番目のファックスのスキャンされた印刷画像を下見した後で、第一のファックス送受信機から第二番目のファックスのスキャンされた印刷画像を物理的に解放することを更に含む請求項222の方法。
【請求項２２９】
第二のファックス送受信機のボイスメール、ビデオメール及び／またはファックスメール表示部で第二番目のファックスのスキャンされた印刷画像を表示するステップは分割画像技術を使った第二のファックス送受信機のボイスメール、ビデオメール及び／またはファックスメール表示部で第二番目のファックスのスキャンされた印刷画像を表示することを更に含む請求項228の方法。
【請求項２３０】
第二のファックス送受信機のボイスメール、ビデオメール及び／またはファックスメール表示部で第二番目のファックスのスキャンされた印刷画像を表示した後、第二番目のファックスを物理的に解放する前に、第一のファックス送受信機のボイスメール、ビデオメール及び／またはファックスメール表示部で第二番目のファックスのスキャンされた印刷画像を表示することを更に含む請求項228の方法。
【請求項２３１】
第一のファックス送受信機のボイスメール、ビデオメール及び／またはファックスメール表示部で第二番目のファックスのスキャンされた印刷画像を表示するステップは分割画面技術を使って第一のファックス送受信機のボイスメール、ビデオメール及び／またはファックスメール表示部で第二番目のファックスのスキャンされた印刷画像を表示することを更に含む請求項230の方法。
【請求項２３２】
第二番目のファックスの画像を印刷した後、第二番目のファックスを物理的に解放する前に、第二のファックス送受信機を使って第二のファックスに電子的に署名をすることを更に含む請求項228の方法。
【請求項２３３】
第二番目のファックスの画像を印刷した後、第二番目のファックスを物理的に解放する前に、第一のファックス送受信機を使って第二のファックスに電子的に署名することを更に含む請求項228の方法。
【請求項２３４】
第二番目のファックスを電子的に解放した後で第二のファックス送受信機で第二番目のファックスの画像を印刷し、
第二のファックス送受信機の記録カメラで第二番目のファックスの印刷画像をスキャンし、
第一のファックス送受信機のボイスメール、ビデオメール及び／またはファックスメール表示部で第二番目のファックスのスキャンされた印刷画像を表示し、
第一のファックス送受信機で第二番目のファックスのスキャンされた印刷画像を下見した後に、第二のファックス送受信機から第二番目のファックスのスキャンされた印刷画像を物理的に解放することを更に含む請求項222の方法。
【請求項２３５】
第一のファックス送受信機のボイスメール、ビデオメール及び／またはファックスメール表示部で第二番目のファックスのスキャンされた印刷画像を表示するステップは分割画像技術を使った第一のファックス送受信機のボイスメール、ビデオメール及び／またはファックスメール表示部で第二番目のファックスのスキャンされた印刷画像を表示することを更に含む請求項234の方法。
【請求項２３６】
第一のファックス送受信機のボイスメール、ビデオメール及び／またはファックスメール表示部で第二番目のファックスのスキャンされた印刷画像を表示した後、第二番目のファックスを物理的に解放する前に、第二のファックス送受信機のボイスメール、ビデオメール及び／またはファックスメール表示部で第二番目のファックスのスキャンされた印刷画像を表示することを更に含む請求項234の方法。
【請求項２３７】
第二のファックス送受信機のボイスメール、ビデオメール及び／またはファックスメール表示部で第二番目のファックスのスキャンされた印刷画像を表示するステップは分割画面技術を使って第二のファックス送受信機のボイスメール、ビデオメール及び／またはファックスメール表示部で第二番目のファックスのスキャンされた印刷画像を表示することを更に含む請求項236の方法。
【請求項２３８】
第二番目のファックスの画像を印刷した後、第二番目のファックスを物理的に解放する前に、第一のファックス送受信機を使って第二のファックスに電子的に署名をすることを更に含む請求項234の方法。
【請求項２３９】
第二番目のファックスの画像を印刷した後、第二番目のファックスを物理的に解放する前に、第二のファックス送受信機を使って第二のファックスに電子的に署名することを含む請求項234の方法。
【請求項２４０】
第二番目のファックスを送信するステップが、
第二番目のファックスとともに書類を見るモードを送信し、
第一のファックス送受信機の記録カメラを始動することを更に含む請求項222の方法。
【請求項２４１】
第二番目のファックスを送信するステップが、
第二番目のファックスとともに書類を見るモードを送信し、
第二のファックス送受信機の記録カメラを始動することを更に含む請求項222の方法。
【請求項２４２】
第二番目のファックスを送信するステップが、
第二番目のファックスとともに承認／不可のコードを送信し、
第二番目のファックスのスキャンされた印刷画像の表面に承認／不可のメッセージを印刷し、
第二番目のファックスのスキャンされた印刷画像を押し出すことを更に含む請求項222の方法。
第二番目のファックスのスキャンされた印刷画像の表面に承認／不可のメッセージを印刷し、
第二番目のファックスのスキャンされた印刷画像を押し出すことを更に含む請求項222の方法。
【発明の詳細な説明】
【技術分野】
【０００１】
本発明は一般的にファクシミリ送受信機（ファックス）に関するものであり、特に、ボイスメール、ビデオメール及び／またはファックスメールをルーチング(経路指定)し、同時遠隔ビデオ通信機能によってファックスのセキュリティを確保するためのシステム及び／または方法に関するものである。同時遠隔ビデオ通信機能によってファックス送受信機へ書類を送信する人はファックス送受信機によって作成される書類のファックスを見ることができ、さらに、そのファックスの送信を承認または不可とすることができる。
【背景技術】
【０００２】
ファックス送受信機の普及当初は１頁の送信に７分かかる、粗末でミスの多いものであったが、現代ではほぼ全てのオフィスで使用されるファックス送受信機は、１分間に数ページ送受信可能となっている。ファックス送受信機は今日のオフィスに固有のものである。その理由はファックス送受信機の使用が簡単であることとそれが通信の形態として一般に受け入れられるようになったからである。
【０００３】
残念ながら、ファックス送受信機はいくつかの欠点を有する。その一つはまず、ルーチング機能の欠如である。ファックスが送信される際、それは通常、受信するファックス送受信機にて印刷された後、印刷台の上に放置される。これはオフィスによっては問題を生じないが、２人以上の人が同じファックス送受信機を使用する場合はいつも、書類がどさくさに紛れて紛失し、当人に届かない場合が起こりうる。
【０００４】
さらに、ファックス送受信機のセキュリティは従来のファックス送受信機の欠点でもある。ファックス書類はルーチング及びセキュリティ機能がないとファックスが送信されている時にたまたま傍にいた人によって読まれてしまうこともある。このように、極秘情報がうっかりと暴露されてしまうこともあり得る。
【０００５】
金融機関や多様な形態の私企業及び政府機関は常に、セキュリティと受信確認の管理の条件下で書類を電子的に送信する機能を備える必要があった。電子署名承認、機密書類、認定記録、金融証書及び資金拠出承認のコピーを正確かつ安全に送信する能力は現代の主要な全ての組織・機関の機能にとって不可欠である。通信技術が年を追って進歩するにつれ、安全な書類送信と送信受信確認をサポートするために様々なシステムと方法が考案された。電報、電話、多様な無線通信システム、そして、こうした無線通信システムの現代版である高機能デジタル化及び複合型に至るまで、セキュリティを備えた書類複製は、最も信頼の置ける、許容し得る通信技術を最高のセキュリティの管理実施と一体化することによって達成してきたのである。
【０００６】
ファックスは書類送信の方法として広範に使用されてきた。その名前が示唆するように、ファックスは実際の原本の書類を複製したものである。ファックスの目的は全ての構成要素において同じであり、原本の書類の権限を備えた遠隔の複製を作成することである。実際、ファックス作成機械の使用開始は、電報が広範に使用された時よりも以前のことである。1843年、英国のアレクサンダー・ベインは、２つの振り子に接続した２つのペンから構成される装置を考案した。２つの振り子は１本のワイヤに接続し、そのワイヤは導電性のある表面に文章を複製することができた。1925年、フランスのエドワード・ベルンは、光や無光状態を送信可能な電子インパルスに変換することができる光線と光電セルを使った方法を発明した。これは、現代の全てのファックス送受信機が機能する際の拠り所となる基本原則である。電子機器のためのより小規模で効率的な半導体部品の発明によって、1970年代と1980年代により小規模で高速の光ベースのファックス送受信機が実質的に生み出された。もっと最近では、ファックス送受信機は日常の業務遂行の通常の一部として公衆電話や私用電話のネットワークへ書類を定期的に送信することと関連するようになった。現代のファックス送受信機は公共ネットワークを行き来するためのアナログ発信音として具現される2方向のデジタル通信信号を使用する。ファックス技術は現代のデータ処理やコンピュータシステムと互換性のあるプロトコールまたはデジタル信号方法を使用する。これによって、現代のコンピュータモデム（変調装置／復調装置）がコンピュータとファックス送受信機間のデータ通信をサポートすることができる。現代のファックスシステムの国際的相互操作性を規定する標準は国際電信電話諮問委員会（CCITT)、ごく最近では国際電気通信連合（ITU)の一秒間9600ビットのファックス基準を特定するグループ３プロトコールによって設定・規定されている。
【０００７】
受信する書類に対するセキュリティは通常、手作業によって行なわれる。それは例えば、極秘書類を受信する際にファックス送受信機の傍に職員・社員（または監視人）を配置したり、物理的に安全な施設または部屋の中にファックス送受信機を設置したりすることなどである。電子セキュリティは通常、ファックス送受信機の受信バッファ内にプログラムできるアクセスコードの使用によって行なえる。また、受信確認は通常、職員・社員を配置させて行なったり、またはファックス送受信機自体によるシンプル・メール・トランスポート・プロトコール（SMTP)のメッセージ応答を作成したりすることで電子的に行なえる。電子的応答の場合、受信確認は受信メッセージが判読可能かどうかについては未知のまま、通信完了を表示する。
【０００８】
安全な書類送信のための方法としての遠隔書類複製のファックス方法の他に、ビデオ書類画像処理の方法が提案されている。カメラの記録がより小規模になり、より高品質の画像を作成する能力を備えるにつれて、一つ一つの書類や一連の書類を撮影することが可能となり、画像はデジタル化され、データベースに保存され、または、必要の際は既存の電話網や新しい高速私用ネットワークを使用して遠隔地へ送信されることが可能となった。そして、これらの画像の権限を持つ紙面版は、局所的な保存媒体と関連する標準印刷装置を使用するファックスやプリンターによって局所的に作成されることができる。データ処理と、そして、例えばパスワード、アクセスコード、物理的キーロック、侵入警報、ネットワークファイアーウォール、ネットワーク制限及びホスト装置として使用されるメッセージブロッキングソフトウェア等のネットワークセキュリティ装置及びシステムは保存または通信された画像データの配信を確保する役目を果たすことができる。アクセス及びインデックス選択手続きを必要とする保護されたデータベース内に存在する画像処理書類は本質的にファックスされた紙面の書類よりも安全である。受信確認オプションはホストシステムの独特のメッセージ機能によって入手可能である。金融機関、私企業及び政府機関に最高度のセキュリティと完全な書類受信確認を提供するために、最高機密書類の権限を持つコピーを送信することができるファックスまたは画像処理装置が必要である。書類作成者または書類送信者が送信する書類を送信側のファックス送受信機で受信する書類と全く同一のものであることを確信することができる装置が必要である。多くのこうした装置と方法は実用のために提案されている。
【発明の開示】
【発明が解決しようとする課題】
【０００９】
上記の問題点を解決するために様々な試みがなされてきたが、本発明ほど簡潔にかつ効率的な方法で行なったものはない。
【００１０】
関連技術は以下の参考文献に紹介されている。
【００１１】
フレデリック・J・マーフィーによる2002年3月21日に解放された米国特許出願解放第2002／0033961 A1号は、1つの通信プロトコール形態からパケット交換方式ネットワークを通じて電子情報を安全に変換・通信する方法及び装置を記載している。マーフィーの出願は、本発明の特許請求の範囲のボイスメール、ビデオメール及び／またはファックスメールをルーチングし、ファックス書類を見るためのシステム及び／または方法を示唆していない。
【００１２】
バーンハード・ボーマーその他による2002年3月28日に解放された米国特許出願解放第2002／0036794 A1号は、送受信するネットワーク要素間のデータ通信の中心調整のための方法及び装置を記載している。ボーマーその他の出願は、本発明の特許請求の範囲のボイスメール、ビデオメール及び／またはファックスメールをルーチングし、ファックス書類を見るためのシステム及び／または方法を示唆していない。
【００１３】
江口マサシによる2002年5月9日に発行された米国特許出願解放第6,188,488号は、電子メールサーバーに接続するファックスサーバーまたは電子メール装置を記載している。この電子メールサーバーは、ファックスサーバーや電子装置に宛てられ、電子メールサーバーに届いた電子メールの大きさを照会し、この送信されて来る電子メールの大きさと受信可能な大きさを比べる手段を含む。江口の特許は、本発明の特許請求の範囲のボイスメール、ビデオメール及び／またはファックスメールをルーチングし、ファックス書類を見るためのシステム及び／または方法を示唆していない。
【００１４】
シェーン・コンセラその他による2002年6月20日に解放された米国特許出願第2002／0075539 A1号は、元来の送信側へ向けられた通信原本を2次的送信側に送信するためのシステム及び／または方法を記載している。コンセラその他の出願は、本発明の特許請求の範囲のボイスメール、ビデオメール及び／またはファックスメールをルーチングし、ファックス書類を見るためのシステム及び／または方法を示唆していない。
【００１５】
秋本ナオコその他による2002年6月27日に解放された米国特許出願解放第2002／0080415 A1号は、受信データを電子メールとして転送するための通信装置とその制御方法及びその通信装置を制御するためのプログラムを保存する保存媒体を記載している。秋本その他の出願は、本発明の特許請求の範囲のボイスメール、ビデオメール及び／またはファックスメールをルーチングし、ファックス書類を見るためのシステム及び／または方法を示唆していない。
【００１６】
ジョン・Ｅ・ジョーンズその他による2002年7月4日に解放された米国特許出願解放第2002／0085745 A1号及び同じく2002年3月26日に発行された米国特許第6,363,164 B1号は、完全画像スキャンと金銭弁別器を用いて書類を処理することができる書類・金銭処理システムを記載している。ジョーンズその他の出願と特許は、本発明の特許請求の範囲のボイスメール、ビデオメール及び／またはファックスメールをルーチングし、ファックス書類を見るためのシステム及び／または方法を示唆していない。
【００１７】
イムラン・シャリフその他による2002年8月1日に解放された米国特許出願解放第2002／0101620 A1号は、ペーパーレス機能を提供し、データを保存・記録するためにネットワークサーバーの機能を使用するファックス送受信機を記載している。シャリフその他の出願は、本発明の特許請求の範囲のボイスメール、ビデオメール及び／またはファックスメールをルーチングし、ファックス書類を見るためのシステム及び／または方法を示唆していない。
【００１８】
ロドルフォ・ジョドラその他による2002年10月17日に解放された米国特許出願解放第2002／0149644 A1号は、内容提供者の原本のデータファイルを校正データファイルを構成するために異なる色のスペースに変換する最終ハードコピー操作設備を記載している。ジョドラその他の出願は、本発明の特許請求の範囲のボイスメール、ビデオメール及び／またはファックスメールをルーチングし、ファックス書類を見るためのシステム及び／または方法を示唆していない。
【００１９】
スティーブン・Ｒ・ホフスティンによる1977年3月1日に発行された米国特許第4,010,466号は、電子画像保存及び表示の方法とシステムを記載してあり、そこでは、表示はラスタースキャンテレビジョン表示部で見られ、送信される信号はテレビ表示部のフィールド内でライン率が水平テレビジョンのライン率よりも低く、整数の一約数であるような一連のスキャンラインを含んでいる。ホフスティンその他の特許は、本発明の特許請求の範囲のボイスメール、ビデオメール及び／またはファックスメールをルーチングし、ファックス書類を見るためのシステム及び／または方法を示唆していない。
【００２０】
遠藤エツロウによる1988年9月6日に発行された米国特許第4,769,719号は、ビデオ情報を保存するための記憶単位を持つファックスシステムで、そのビデオ情報は受信側でレーザースキャンされる書類から読み出された後、送信側が通信受信を確認できるようにしたものである。送信側が記録確認の応答を要求すると、受信側は書類の受信を確認する応答を準備する。ファックスマスターコントローラーは送信機と受信機間の通信、印刷及びビデオ操作を調整する役目を果たす。遠藤の特許は、本発明の特許請求の範囲のボイスメール、ビデオメール及び／またはファックスメールをルーチングし、ファックス書類を見るためのシステム及び／または方法を示唆していない。
【００２１】
レイモンド・Ｆ・ディナンその他による1989年12月19日に発行された米国特許第4,888,812号は、書類画像処理システムを記載している。ディナンその他の特許は、本発明の特許請求の範囲のボイスメール、ビデオメール及び／またはファックスメールをルーチングし、ファックス書類を見るためのシステム及び／または方法を示唆していない。
【００２２】
ゲーリィ・ギアその他による1992年12月8日に発行された米国特許第5,170,252号は、複数オーディオを相互接続・混合し、複数媒体装置と関連するオーディオ及びビデオデータストリームを混合するためのシステムと方法を記載している。ギアその他の特許は、本発明の特許請求の範囲のボイスメール、ビデオメール及び／またはファックスメールをルーチングし、ファックス書類を見るためのシステム及び／または方法を示唆していない。
【００２３】
酒井マサノリその他による1994年7月26日に発行された米国特許第5,333,068号は、画像処理システムを記載している。酒井その他の特許は、本発明の特許請求の範囲のボイスメール、ビデオメール及び／またはファックスメールをルーチングし、ファックス書類を見るためのシステム及び／または方法を示唆していない。
【００２４】
エルベ・ルコーレその他による1996年12月24日に発行された米国特許第5,587,809号は、送信側ファックス機、受信ファックス機及び登録ファックスサーバーを含む安全なファックスを送るためのシステムと過程を記載している。ルコーレその他の特許は、本発明の特許請求の範囲のボイスメール、ビデオメール及び／またはファックスメールをルーチングし、ファックス書類を見るためのシステム及び／または方法を示唆していない。
【００２５】
Ｗ・トーマス・グリーンその他による1997年2月11日に発行された米国特許第5,602,936号は、スキャン装置からデータを回復し、回復されたデータをデジタルで保存するための方法と装置を記載している。グリーンその他の特許は、本発明の特許請求の範囲のボイスメール、ビデオメール及び／またはファックスメールをルーチングし、ファックス書類を見るためのシステム及び／または方法を示唆していない。
【００２６】
アラッシャー・Ｔ・ゴードンによる1977年4月8日に発行された米国特許第5,619,725号は、通信が開始されるファックスモデムを備えた個人用コンピュータ（PC）によって遠隔のコンピュータから情報を読み出すための方法と装置を記載している。ゴードンの特許は、本発明の特許請求の範囲のボイスメール、ビデオメール及び／またはファックスメールをルーチングし、ファックス書類を見るためのシステム及び／または方法を示唆していない。
【００２７】
橋本シンイチその他による1997年7月1日に発行された米国特許第5,644,404号は、ファックスサーバーシステムを記載している。このファックスサーバーシステムでは、ファックスを送受信するコンピュータ端末またはファックスサーバー端末がネットワークによってネットワークによってファックスサーバーに保存されたファックスデータにアクセスする他のコンピュータ端末または顧客端末を相互接続し、受信したファックスが顧客端末によって最初にアクセスされた際に、ファックスサーバー端末がファックスデータのデータ確認受信を応答データとしてそのファックスデータを送った元の端末へ送信する。橋本その他の特許は、本発明の特許請求の範囲のボイスメール、ビデオメール及び／またはファックスメールをルーチングし、ファックス書類を見るためのシステム及び／または方法を示唆していない。
【００２８】
ジーン・Ｍ・カスティその他による1998年6月30日に発行された米国特許第5,774,879号は、自動金融商品処理システムを記載している。カスティその他の特許は、本発明の特許請求の範囲のボイスメール、ビデオメール及び／またはファックスメールをルーチングし、ファックス書類を見るためのシステム及び／または方法を示唆していない。
【００２９】
中西ヒロユキによる1999年2月16日に発行された米国特許第5,872,637号は、メモリーに保存されたデータが遠隔地から便利にアクセス可能となる画像通信システムを記載している。中西の特許は、本発明の特許請求の範囲のボイスメール、ビデオメール及び／またはファックスメールをルーチングし、ファックス書類を見るためのシステム及び／または方法を示唆していない。
【００３０】
グレゴリー・Ｇ・オドムその他による2000年10月31日に発行された米国特許第6,114,116号は、既存の電話通信線を通して書類を極秘に通信し、ファックス送受信機の受信にとって都合の良い暗号化された書類を作成する方法とシステムを記載している。オドムその他の特許は、本発明の特許請求の範囲のボイスメール、ビデオメール及び／またはファックスメールをルーチングし、ファックス書類を見るためのシステム及び／または方法を示唆していない。
【００３１】
マーク・Ｃ・ブルームフィールドその他による2000年12月5日に発行された米国特許第6,157,464号は、ファックスサービス方法のホストとなるために共に機能する局所的インターフェースと遠隔地に設けられたファックス保存・転送設備を含むファックス保存・転送システムを記載している。ブルームフィールドその他の特許は、本発明の特許請求の範囲のボイスメール、ビデオメール及び／またはファックスメールをルーチングし、ファックス書類を見るためのシステム及び／または方法を示唆していない。
【００３２】
トーマス・カヒールその他による2001年1月30日に発行された米国特許第6,181,837号は、書類の画像を保存し、読み出すための方法と装置を記載している。カヒールその他の特許は、本発明の特許請求の範囲のボイスメール、ビデオメール及び／またはファックスメールをルーチングし、ファックス書類を見るためのシステム及び／または方法を示唆していない。
【００３３】
加藤トクノリによる2001年3月20日に発行された米国特許第6,204,929号は、外部の光が通信装置に侵入するために誤った操作が行なわれないように防ぐことができる通信装置を記載している。加藤の929特許は、本発明の特許請求の範囲のボイスメール、ビデオメール及び／またはファックスメールをルーチングし、ファックス書類を見るためのシステム及び／または方法を示唆していない。
【００３４】
アンドリュー・Ｊ・ダガンその他による2001年12月11日に発行された米国特許第6,330,079号は、通信システムのための総合的ボイスメール及びファックスメールプラットフォームを記載している。ダガンその他の特許は、本発明の特許請求の範囲のボイスメール、ビデオメール及び／またはファックスメールをルーチングし、ファックス書類を見るためのシステム及び／または方法を示唆していない。
【００３５】
マーティン・Ｐ・マデンによる2002年3月26日に発行された米国特許第6,363,360号は、金融機関の預金負担ベースを所定の金額と時間で取引するための契約上のオプション取り決めを分析し、案出するためのシステムと方法を記載している。マデンその他の特許は、本発明の特許請求の範囲のボイスメール、ビデオメール及び／またはファックスメールをルーチングし、ファックス書類を見るためのシステム及び／または方法を示唆していない。
【００３６】
チャールズ・Ｊ・アルトマンによる2002年4月2日に発行された米国特許第6,366,892号は、特に公共融資及び商業融資のための法律書類を自動化するための方法を記載している。アルトマンの特許は、本発明の特許請求の範囲のボイスメール、ビデオメール及び／またはファックスメールをルーチングし、ファックス書類を見るためのシステム及び／または方法を示唆していない。
【００３７】
1988年4月14日に解放されたドイツ特許出願公開第3,733,650 A1号は、メッセージ通信システムを記載している。ドイツ特許出願'650号は、本発明の特許請求の範囲のボイスメール、ビデオメール及び／またはファックスメールを送信し、ファックス書類を見るためのシステム及び／または方法を示唆していない。
【００３８】
1990年3月23日に解放された日本特許出願公開第2-82740号は、ファックスの保存、転送変換を記載している。日本特許出願'740号は、本発明の特許請求の範囲のボイスメール、ビデオメール及び／またはファックスメールをルーチングし、ファックス書類を見るためのシステム及び／または方法を示唆していない。
1991年1月11日に解放された日本特許出願公開第3-6149号は、ファックスの保存、転送変換装置のための受信契約者個別複数住所録登録システムを記載している。日本特許出願'149号は、本発明の特許請求の範囲のボイスメール、ビデオメール及び／またはファックスメールをルーチングし、ファックス書類を見るためのシステム及び／または方法を示唆していない。
【００３９】
1993年7月23日に解放された日本特許出願公開第5-180620号は、画像処理方法を記載している。日本特許出願'620号は、本発明の特許請求の範囲のボイスメール、ビデオメール及び／またはファックスメールをルーチングし、ファックス書類を見るためのシステム及び／または方法を示唆していない。
【００４０】
上記の発明及び特許はいずれも、単独でも組み合わせでも、特許請求されている本発明を述べているとはみなされない。
【課題を解決するための手段】
【００４１】
本発明は、ボイスメール、ビデオメール及び／またはファックスメールをルーチングするためのファックス送受信機に関する。ファックス送受信機はプロセッサーとメモリーを含む。ファックス送受信機は関連する受信者へボイスメール、ビデオメール及び／またはファックスメールをルーチングするために構成されている。
【００４２】
本発明の他の実施形態はファックスシステムである。ファックスシステムは第二のファックス送受信機と通信可能に相互に接続している第一のファックス送受信機を含む。第一のファックス送受信機はプロセッサーとメモリーを備え、関連する受信者へボイスメール、ビデオメール及び／またはファックスメールをルーチングするために構成されている。第二のファックス送受信機もプロセッサーとメモリーを備え、関連する受信者へボイスメール、ビデオメール及び／またはファックスメールをルーチングするために構成されている。第一のファックス送受信機は第二のファックス送受信機で関連する受信者へボイスメール、ビデオメール及び／またはファックスメールをルーチングするために構成されている。
【００４３】
さらに、本発明の一部はボイスメール、ビデオメール及び／またはファックスメールをルーチングするための方法に関する。この方法は第一のファックス送受信機と第二のファックス送受信機を提供することを含む。第一のファックス送受信機は第一のボイスメール、ビデオメール及び／またはファックスメールの通信のために第二のファックス送受信機と通信可能に相互に接続している。第一のボイスメール、ビデオメール及び／またはファックスメールは第一のファックス送受信機から第二のファックス送受信機へ受信者のファックスコードとともに送信される。第一のボイスメール、ビデオメール及び／またはファックスメールは第二のファックス送受信機で受信者のファックスコードとともに受信される。第二のファックス送受信機からの第一のボイスメール、ビデオメール及び／またはファックスメールへのアクセスは第二のファックス送受信機での受信者のファックスコードの再入力に基づいて制御される。
【００４４】
本発明のその他の実施形態はファックス送受信機である。ファックス送受信機はファックスの印刷書類をスキャンできる記録カメラを備えている。署名パッドはファックスに電子署名を行なうことを可能にする。封印したペーパートレイは受信したファックスの印刷書類を受信できる。封印したペーパートレイは透明なカバーを持ち、密閉されてユーザーからは見ることができない。ボイスメール、ビデオメール及び／またはファックスメール表示はファックスがその受信側に解放される前にその画像を表示することができる。
【００４５】
さらに、本発明の一部は第二のファックス送受信機と通信可能に相互に接続している第一のファックス送受信機を持つファックスシステムに関する。第一のファックス送受信機はファックスの印刷書類をスキャンできる記録カメラを持っている。署名パッドはファックスに電子署名を行なうことを可能にする。封印したペーパートレイは受信し、印刷されたファックスの印刷された書類を受信できる。封印したペーパートレイは透明なカバーを持ち、密閉されてユーザーからは見ることができない。ボイスメール、ビデオメール及び／またはファックスメール表示はファックスがその受信側に解放される前にその画像を表示することができる。第二のファックス送受信機はファックスの印刷書類をスキャンできる記録カメラを備えており、署名パッドはファックスに電子署名を行なうことを可能にする。封印したペーパートレイは受信されたファックスの印刷書類を受信できる。封印したペーパートレイは透明なカバーを持ち、密閉されてユーザーからは見ることができない。ボイスメール、ビデオメール及び／またはファックスメール表示はファックスがその受信側に解放される前にその画像を表示することができる。第一のファックス送受信機はファックスを第二のファックス送受信機に送信する際、第二のファックス送受信機の機能を制御する。第二のファックス送受信機はファックスを第一のファックス送受信機に送信する際、第一のファックス送受信機の機能を制御する。
【００４６】
さらに、本発明の一部はファックス書類を見るための方法に関する。この方法は第一と第二のファックス送受信機にそれぞれ記録カメラとボイスメール、ビデオメール及び／またはファックスメールの表示部を提供することを含む。第一のファックス送受信機は第一の取引のために第二のファックス送受信機と通信可能に相互に接続している。第一番目のファックスが第一のファックス送受信機から第二のファックス送受信機へ行なわれる。第一番目のファックスが第二のファックス送受信機で受信される。第二のファックス送受信機は第一番目のファックスの第一の取引が終了するまで第一のファックス送受信機によって制御される。第一番目のファックスの画像は第一のファックス送受信機のボイスメール、ビデオメール及び／またはファックスメールに表示される。第一番目のファックスは第一のファックス送受信機のボイスメール、ビデオメール及び／またはファックスメールに第一番目のファックスの画像が表示された後で第二のファックス送受信機から電子的に解放される。
【発明を実施するための最良の形態】
【００４７】
本発明はボイスメール、ビデオメール及び／またはファックスメールをルーチングし、ファックス書類を見るためのシステム及び／または方法である。もちろん、ここで開示される発明は多数の異なる実施形態をもつことができる。図面や以下で詳細に述べるのは本発明の好ましい実施形態である。しかし、本開示は本発明の原則の一つの例示であり、それがここに示す実施形態に限られるものではないことを理解されたい。
【００４８】
本発明に基づくファックス送受信機はプロセッサーとメモリーを備え、ファックス送受信機は関連する受信者へボイスメール、ビデオメール及び／またはファックスメールをルーチングするために配置されている。ファックス送受信機は操作パネル、操作表示画面、マイクロフォン／スピーカー、電話ハンドセット、封印したペーパートレイ、付属ペーパートレイ、プリンター、オーディオ／ビデオ記録カメラ、ボイスメール／ビデオメール／ファックスメール表示モニター、モデム、プロセッサー、メモリー及びファックス送受信機の構成要素を相互接続する通信バスを備える。さらに、ファックス送受信機は付加的キーパッド、周辺構成要素相互接続（PCI）スロット、音声発生回路、音声認知回路、音声カード、ペーパースキャナー、バーコードリーダー、手指／親指指紋スキャナー、網膜スキャナー、スタイラスペン、署名パッド、シュレッダー、文字発生器、ネットワーク制御ユニット、出入力ポート、ハードドライブ、取り外し可能のドライブ及び／またはアンテナを備える。
【００４９】
ファックス送受信機は複数の送信されたボイスメール、ビデオメール及び／またはファックスメールを保存できる拡大メモリーと、送信されたボイスメール、ビデオメール及び／またはファックスメールを特定のユーザーに選択的に送信できるルーチング／セキュリティプロトコールを備える。さらに、セキュリティプロトコールは、ファックスの送信者がボイスメール、ビデオメール及び／またはファックスメールが所望の受信者によって受信、アクセスされたかどうかを確認するために受信側ファックス送受信機へアクセスすることができるようなシステムを提供する。
【００５０】
また、このシステムは、本発明の送信及び／または受信側ファックス送受信機が広域及び／またはローカルエリアのネットワーク接続に接続できるネットワークカードを備えている。ネットワーク接続によって、受信側ファックス送受信機に保存されたボイスメール、ビデオメール及び／またはファックスメールは遠隔地にあるコンピュータからアクセスすることができる。送信側ファックス送受信機は受信側ファックス送受信機にボイスメール、ビデオメール及び／またはファックスメールのコピーを遠隔地にあるコンピュータへ転送するよう指令を発信することができる。
【００５１】
最後に、このシステムは交渉可能な証書、特に、小切手を安全にファックスするために特別作成されたファックス用紙を使用できるセキュリティプロトコールを備えている。
【００５２】
記録カメラとボイスメール、ビデオメール及び／またはファックスメールの表示部を備えた送信側ファックス送受信機が取引のために記録カメラとボイスメール、ビデオメール及び／またはファックスメールの表示部を備えた受信側ファックス送受信機と相互に接続している時、送信側ファックス送受信機は受信側ファックス送受信機へファックスを送信する。そして、受信ファックス送受信機はそのファックスを受信し、送信側ファックス送受信機はそのファックス送信の取引が終了するまで受信側ファックス送受信機を制御する。そして、ファックスの画像は送信側ファッ送受信機クスのボイスメール、ビデオメール及び／またはファックスメールの表示部で見ることができる。
【００５３】
その後、送信側ファックス送受信機はファックスを送信側ファックス送受信機で見た後、受信側ファックス送受信機からファックスを電子的に開放することができる。そして、ファックスの画像はそのファックスが電子的に開放された後で受信側ファックス送受信機にて印刷することができる。ファックスの印刷画像はその後受信側ファックス送受信機の記録カメラでスキャンされる。第一番目のファックスのスキャンされた、印刷画像はその後送信側ファックス送受信機のボイスメール、ビデオメール及び／またはファックスメールの表示部に表示される。スキャンされ、印刷画像はその後、受信側ファックス送受信機から物理的に解き放たれ、ユーザーは、スキャンされ、印刷されたファックスの画像を送信側ファックス送受信機上で下見した後でそのスキャン・印刷された書類を手にすることができる。さらに、コンピューティングデバイスも送信側ファックス送受信機に相互接続することができ、送信側ファックス送受信機の機能を制御する。
【００５４】
図面を参照すると、図1及び2は、本発明のボイスメール、ビデオメール及び／またはファックスメールを送信及び／又は受信し、ファックス書類を見るために構成されたファックス送受信機10を示す。ここで使用されているように、ボイスメール、ビデオメール及び／またはファックスメールは電子的ボイスメッセージング（ボイスメール）、電子的ビデオメッセージング（ビデオメール）及び／またはファックスメッセージング（ファックスメール）の全ての形態を指す。さらに、従来のファックス送受信機も、本発明のボイスメール、ビデオメール及び／またはファックスメールを送信し、ファックス書類を見るようにリトルフィトできるように構成できる。
【００５５】
ファックス送受信機10はファックスを送受信するために構成することができる。ユーザー（送信者）が重要な、または極秘の電子書類またはスキャンされた物理的書類のファックスを送信側ファックス送受信機10から受信側ファックス送受信機10へ送信する際、ファックスの送信者はそのファックスの電子画像を下見し、ファックスを「電子的に開放する」前に下見した電子画像に基づきそのファックスを承認または不可とすることができる。
【００５６】
ここで使用されるファックスの電子的な開放は、送信側ファックス送受信機10から受信側ファックス送受信機10へ送信した受信ファックスの電子画像の制御を開放することを意味する。ファックスが送信側ファックス送受信機10で送信者によって電子的に開放されると、送信者はそのファックスを「物理的に開放する」ことができる。ここで使用されるファックスの物理的な開放は、受信側ファックス送受信機10に対してファックスの印刷画像の制御を開放し、受信側ファックス送受信機10のユーザーがそのファックスの印刷画像を物理的に手にすることができることを意味する。
【００５７】
言い換えれば、ファックスの送信者は、そのファックスが受信側ファックス送受信機10で電子的に解放される前に送信側ファックス送受信機10でファックスの制御を維持する。ファックスの画像が受信側ファックス送受信機10で印刷された後は、ファックスの送信者は、例えばファックスの印刷画像の制御を受信側ファックス送受信機10に行わせる等、物理的に解放する前にファックスの印刷画像へのアクセスの制御を維持する。さらに、受信側ファックス送受信機10のユーザー（受信者）もまた、ファックスの送信者がファックスの制御を電子的及び／または物理的に開放した後で受信側ファックス送受信機10でファックスの制御を電子的及び／物理的に維持することができる。また、ファックス送受信機10は、ファックスの送信者及び／または受信者がファックスを下見及び／または電子的及び／または物理的に開放した後でそれぞれのファックス送受信機10でファックスの電子版または印刷版に電子的に署名することを可能にする。
【００５８】
ファックス送受信機10は既知の全てのファックス送受信機と通信的に相互接続するよう構成され、従来のファックス送受信機の多様な機能の全てを実行する。しかし、ファックス送受信機10は、特にそれがもう一つのファックス送受信機10と通信的に相互接続される時、従来のファックス送受信機には見られない独創的な機能を備えてもいる。ファックス送受信機10は電話線または状況に応じてケーブル線、デジタル受信契約ライン、サテライト、光ファイバー等と通信的に相互接続され、ユーティリティ配管等の電源供給ラインと電子的に相互接続される。
【００５９】
さらに、ファックス送受信機10はモニター82、キーボード84、マウス86等を備えた単独または複数のコンピュータ80と通信的に相互接続することもできる。コンピュータ80は例えばIBMのPC、マッキントッシュコンピュータ、IBMの相互互換性コンピュータ等どのタイプのコンピュータでもよい。ファックス送受信機10は通所の商業用または家庭用配給電源によって電力を供給され、商業用または家庭用音声電話及び／またはローカルエリアネットワーク／広域ネットワーク（LAN／WAN）システムと接続する。ファックス送受信機10は例えば書類センサー、コーダー、デコーダー等の従来のファックス送受信機に見られる通常の機能を幾つでも備えることができる。ファックス送受信機10は、ボイスメール、ビデオメール及び／またはファックスメールをプログラム、制御、受信し、書類を見るためにPCや他の同様の装置によってLAN／WANやその他の汎用データポートを通じてアクセスされるよう構成されている。
【００６０】
ファックス送受信機10は操作パネル12、操作表示画面14、マイクロフォン／スピーカー16、電話ハンドセット18、封印したペーパートレイ20、補助ペーパートレイ22、プリンター24、オーディオ／ビデオ記録カメラ26、ボイスメール、ビデオメール及び／またはファックスメール表示部28とモデム30を備えている。ファックス送受信機のオプショナルの操作英数字キーボード32及び／またはマウス34によってファックス送受信機10のユーザーはコンピュータのマウスの使用と同様な方法でファックス送受信機10の機能を生じさせることができる。この場合、ファックス送受信機10のユーザーはマウス34を使用し、ボイスメール、ビデオメール及び／またはファックスメールの表示部28の位置及び／またはアイコンへ移動・指示することができる。所望の位置にマウス34を置いた後、ユーザーはクリックして、選択したアイコン等に応じた機能を始動させることができる。
【００６１】
操作パネル12はLCD制御を備えてもよい。操作表示画面14とボイスメール、ビデオメール及び／またはファックスメール表示部28は例えばLCDディスプレー、有機LCDディスプレー、発光ダイオード（LED)ディスプレー、有機LEDディスプレー（OLED)、薄膜トランジスタディスプレー、ブラウン管（CRTディスプレー）、プラズマボイスメール、ビデオメール及び／またはファックスメールディスプレー等、どのタイプの表示部でもよい。封印したペーパートレイ20は密封された透明な書類受信ホルダーが好ましい。オーディオ／ビデオ記録カメラ26はファックス送受信機10からのボイスメール、ビデオメール及び／またはファックスメールの送受信を記録するよう構成されている。ファックス送受信機10はコンピュータやプログラム、制御及び書類を見るための他の同様の装置によってLAN／WANやその他の汎用データポート（図2のPCIスロット38を参照）を通じてアクセスされるよう構成されている。
【００６２】
オーディオ／ビデオ記録カメラ26はファックス送受信機10から物理的及び／または電子的に解放される前に送信者が見／聞きたいと思うファックスの全てを見るように構成されている。また、記録カメラ26は画像や音声を記録してもよい。この機能はファックス送受信機10が別のファックス送受信機10とネットワークで接続されている場合に最大の潜在力を発揮する。例えば、送信側ファックス送受信機10の送信者が相互接続する遠隔地のファックス送受信機10の受信者と契約及び／または合意を交わしたい場合、送信者は送信された契約書及び／または合意書等のボイスメール、ビデオメール及び／またはファックスメールを受信者に読ませ、その契約書及び／または合意書に申し合わせしていることを受信者に伝えることができる。
【００６３】
送信されてくるファックスを受信する際、記録カメラ26はファックスの画像が印刷された後、受信側ファックス送受信機10の各ファックス画像をスキャン・記録し、受信側ファックス送受信機10のユーザー（受信者）に受信側ファックス送受信機10のボイスメール、ビデオメール及び／またはファックスメール表示部28で下見させ、及び／または署名パッド56を使って受信側ファックス送受信機10のファックス画像に電子的に署名させることができる。送信されてくるファックスの画像が受信側ファックス送受信機10で受信されると、ファックスの送信者はさらに、送信側ファックス送受信機10でボイスメール、ビデオメール及び／またはファックスメール表示部28によってファックスの画像を下見し、例えば、受信者の相互接続するコンピューティングデバイスに印刷及び／または電子的に通信するなどして受信側ファックス送受信機10でファックスの画像を電子的及び／または物理的に解放する前に、そのファックス画像を承認または不可とすることができる。受信側ファックス送受信機10の記録カメラ26は送信されて来るファックスの画像を封印したペーパートレイ22の透明なカバーを通してスキャンする。
【００６４】
送信側ファックス送受信機10のファックス送信者からの電話が受信側ファックス送受信機10に届くと、受信側ファックス送受信機10の記録カメラ26は始動し、送信者は送信側ファックス送受信機10のボイスメール、ビデオメール及び／またはファックスメール表示部28または送信側ファックス送受信機10と相互接続するコンピューティングデバイス上でファックス画像を下見することができる。さらに、送信者は送信側ファックス送受信機10のメモリーまたは送信側ファックス送受信機10と相互接続するコンピューティングデバイス上にファックス画像を記録することができる。小切手（金銭）ファックス送信の場合、送信者は小切手の追跡番号を小切手用ファックス・小切手用紙の書面を見ることができる。このファックス・小切手用紙にはファックスを送信する前に送信者が小切手の追跡番号を入れてある。
【００６５】
図2に示すように、ファックス送受信機10はさらにプロセッサー66、メモリー68、ファックス送受信機10の全ての要素を相互接続する通信バス76を備えている。プロセッサー66は共用または専用のハードウェアであり、ソフトウェアを実行できるハードウェアを備えているが、このハードウェアのみを備えていることではない。メモリー68はランダムアクセスメモリー（RAM)と読み取り専用メモリー（ROM)を備えている。RAMは揮発性または非揮発性のRAMを含み、大量の情報を保存できる。プロセッサー60は以下に述べるように独特の機能を持つよう設計されている。ROMは基本入出力システム（BIOS)、POST等のプログラムやキーボード、フロッピーディスクドライブ等のハードウェア部品の出入力操作を制御するプログラムを保存できる。さらに、ファックス送受信機10はLANに接続するためのネットワークカードを受信することもできる。
【００６６】
さらに、ファックス送受信機10は付加的キーパッド36、PCIスロット38、音声発生回路40、音声認知回路42、音声カード44、ペーパースキャナー46、バーコードリーダー48、手指／親指指紋スキャナー50、網膜スキャナー52、スタイラスペン54、署名パッド56、シュレッダー58、文字発生器60、ネットワーク制御ユニット62、出入力ポート64、ハードドライブ70、取り外し可能のドライブ72及び／またはアンテナ74を備えている。
【００６７】
音声発生回路40はファックス送受信機10のメモリーに保存された暗号化されたデジタル化したメセージを読み出し、マイクロフォン／スピーカー16または電話ハンドセット18を通じてファックス送受信機10のユーザーに伝えることができる。マイクロフォン／スピーカー16によってファックス送受信機10を使う相互接続した者同士はファックス送受信機10間で総合的な音声／画像記録のやり取りを行なうことができる。音声認知回路42によってファックス送受信機10はファックス送受信機10の適切な受信者を確認することができる。
【００６８】
音声カード44は従来の音声カードでもよく、ボイスメールを保存、送信及び／または受信するために使われる。このような音声カードはデジタル信号プロセッサー（DSP)、デジタルからアナログへのコンバータ（DAC)、アナログからデジタルへのコンバータ（ADC）、読み取り専用メモリー（ROM)またはデータ、外部音楽に接続するための楽器デジタルインターフェース（MIDI)を保存するためのフラッシュメモリー、ライン出入力端子のスピーカーやマイクロフォンを接続するためのプラグの差込口、ジョイスティックやゲームパッドに接続するためのゲームポートを通常備えている。音声カード44はあらかじめ録音された音声を再生し、外部ソース（マイクロフォンやテープ再生装置）からの様々な媒体で録音し、音声を合成し、既存の音声を処理することができる。DACとADCはDSPの監視の下で音声を音声カードに出入力するための方法を提供する。さらに、DSPは又音声への全ての変化を監督する。残りの過程はファックス送受信機10のプロセッサー66によって処理される。
【００６９】
音声カードはヘッドフォン、スピーカー、マイクロフォン、ラジオ、デジタルオーディオテープ（DAT)、CD-ROMドライブ等に接続することができる。音声カードはマイクロフォンのプラグ差込口からの連続的、アナログ的な波形入力信号を受信する。受信されたアナログ信号は様々な振幅と周波数を持つ。音声カードのソフトウェアはどの入力を使用するかを選択する。波形信号はアナログからデジタルへのコンバータ（ADC)によってリアルタイムで処理される。ADCからのデジタル出力はDSPへ流れる。DSPは音声カード上の別のチップに保存された一連の指令によってプログラムされている。さらに、上記のことが行なわれている間、DSPによってプロセッサーはその他のタスクを実行することができる。
DSPは波形をプロセッサー66に送信する。デジタルデータはプロセッサー66で処理され、メモリー68またはハードドライブ70に送られる。あらかじめ録音された波状ファイルを聞くためにはこの過程を単に逆にするだけである。デジタルデータはハードドライブまたはメモリーから読み出され、プロセッサー66に転送される。プロセッサー66はデータを音声カードのDSPに転送する。DSPはデジタルデータを圧縮されたファイルをデコンプする。デコンプされたDSPからのデジタルデータストリームはDAC回路チップによってリアルタイムで処理され、音声カードのヘッドフォンプラグ差込口がどこに接続されているかによってヘッドフォンやスピーカーで聞くことができるアナログ信号となる。
【００７０】
シュレッダー58は、ファックス送受信機10がファックス送受信機10によって受信した全てのファックス書類を破壊し、不可とされた／誤った／調整不良のファックス書類が不正の手に渡り機密情報や個人の署名が悪用されるのを防ぐよう構成されている。さらに、シュレッダー58によって、送信者は精密度基準に合わないと考えるファックスメールやファックス送受信機10の特定のセキュリティ処置を満たさないファックスメールを破壊することができる。
【００７１】
署名パッド56はファックス画像上に作成、通信、印刷される非圧縮及び／または圧縮されたデジタル署名信号を提供する電磁デジタイザーを備えている。署名パッド56は上部と下部を持つ。署名パッド56は、ボイスメール、ビデオメール及び／またはファックスメール上に署名を的確に置くために署名パッド56のユーザーによって作成された署名を的確に置く配置ガイドを備えている。
【００７２】
スタイラス54は署名パッド56に署名するために使われる。スタイラスは電子回路を備え、デジタイザー回路の一部を構成する。スタイラス54はスタイラスケーブルによって署名パッド56と接続している。スタイラス54が使用されていない時、適切に構成された入れ物に保存されてもよい。さらに、署名パッド56は契約取引を行なうユーザーが交わされた契約／合意書に対する修正についてイニシャルをすることができるよう全判サイズの用紙で構成されている。
【００７３】
送信者は、受信者のファックス送受信機10と相互接続するコンピューティングデバイスに電子的にファックスを送信する、またはファックスの印刷画像を物理的に解放することによって送信済みのファックスを電子的及び／または物理的に解放する前に、送信者のファックス送受信機10上で送信済みのファックス画像を下見することができる。さらに、送信者は、ファックスが遠隔地にあるファックス送受信機10に送られた後、さらに、送信者が送信者のファックス送受信機10上のボイスメール、ビデオメール及び／またはファックスメール表示部28でファックス画像を下見した後で、送信者のファックス送受信機10で署名パッド56に署名することによって遠隔地にあるファックス送受信機10へその署名を提供することもできる。また、送信者は送信者のファックス送受信機10で署名パッドを使いファックス画像に署名をした後、そして、受信者のファックス送受信機10で電子的及び／または物理的にファックスを解放する前にファックス画像を下見することもできる。
【００７４】
受信者は、受信者のファックス送受信機10と相互接続するPCにファックスを電子的に送信したり、ファックス画像を印刷したりすることによって電子的及び／または物理的にファックスを解放する前に、送信されたファックス画像を受信者のファックス送受信機10で下見することができる。受信者はファックスが受信者のファックス送受信機10に送信された後、そして、受信者が受信者のファックス送受信機10でボイスメール、ビデオメール及び／またはファックスメール表示部28でファックス画像を下見した後で、受信者のファックス送受信機10の署名パッド56に署名することによってその場所で自分の署名を提供することができる。さらに、受信者は受信者のファックス送受信機10の署名パッド56を使いファックス画像に署名をした後、そして、受信者のファックス送受信機10でファックスを電子的及び／または物理的に解放する前に、ファックス画像を下見することもできる。
【００７５】
ファックスが電子的に送信者のファックス送受信機10から解放された後でファックス画像が印刷される際、ファックスの印刷画像は書類の上にある透明なカバーの下に置かれる。さらに、ファックスの印刷画像は送信者及び／または受信者のいずれかに署名される前に見ることもできる。送信者及び／または受信者がファックス画像が印刷された後でファックスの印刷画像に署名を行なうことを決定すると、送信者及び／または受信者はファックスされた書類を撮像装置／プリンターの下部にスクロールすることができるか、もしくは、撮像装置／プリンターがファックスされた書類の上部に移動し、送信者及び／または受信者のあらかじめ保存された署名もしくはその場で行なわれた書名を印刷するために所望の場所に署名が行なわれるようにする。
【００７６】
送信側ファックス送受信機10またはリトルフィットされた同様なファックス送受信機が通信的に受信側ファックス送受信機10またはリトルフィットされた同様なファックス送受信機と接続している時、送信側ファックス送受信機10は受信側ファックス送受信機10の全ての機能を制御し、受信側ファックス送受信機10の操作パネル12は動作不能となる。これによって、受信側ファックス送受信機10で電子的及び／または物理的にファックスが解放される前に送信者によるファックスの完全な下見、確認、再確認、承認及び／または不可とみなせるようなセキュリティが送信者に提供され、送信側ファックス送受信機10のファックス通信が終了するまで受信側ファックス送受信機10に対して誰も妨害を加えることはない。
【００７７】
ファックス送受信機10はファックス送受信機10のメモリー68に保存されたファックスソフトウェアを含む。ファックスソフトウェアは複数のファックス送受信機指令を持ち、それらはユーザーの志向に基づく使用可能ないずれのコンピュータ媒体、例えば、コンピュータハードドライブ70、取り外し可能のドライブ72（フロッピーディスク、CD ROM等）、フラッシュメモリー、電子的消去可能及びプログラマブルROM（EEPROM)、光メモリー、電磁媒体メモリー等からもPCインターフェースを通じてメモリー68に保存及び／又は移転することができる。ファックスソフトウェアはプロセッサー66によって読み取られ、処理され、プロセッサー66にプログラムされた機能を実行させる。移動、指令の過程やデータはプロセッサー66によって制御され、実行される。ファックスソフトウェアはプロセッサー66にボイスメール、ビデオメール及び／またはファックスメールの内容の情報を認知させるための指令を含む。さらに、外部のコンピューティングデバイスはそこに保存されるファックスソフトウェアとともに構成され、その結果、コンピューティングデバイスが通信的にファックス送受信機10と接続する際、すなわち、ファックスがファックス送受信機10から送信される際、コンピューティングデバイスがファックス送受信機10の機能を制御するよう構成されることができる。
【００７８】
ファックスソフトウェアによってファックス送受信機10は様々なモードに構成できる。図3に示されているように、ファックスソフトウェアがファックス送受信機10を構成する複数のモード100は確認モード102、配信証明要求モード104、チェックモード106、小切手ファックスモード108、使用者閲覧専用モード110、手指／親指指紋スキャンモード112、網膜スキャンモード114、読み取り専用モード116、即時状況モード118、複写（CC)モード120、ファックスキューモード122、識別モード124、ディレクトリプロンプトモード126、私はここにいます、そこにいるのは誰ですか（IHWT)モード128、ポートレートモード130、留守メッセージモード132、参考／ライブラリモード134、タッチパッドモード136、音声認知モード138、共同加入線モード140、書類を見るモード142及び契約モード144を含む。ファックス送受信機10のユーザーは相互接続するマウス34を使い、ボイスメール、ビデオメール及び／またはファックスメール表示部28上でファックス送受信機10の利用可能な全てのモードのリストを見ることができる。マウス34を利用可能な所望のモードに関連する特定のアイコンに置くと、ユーザーはその特定のアイコンをクリック、始動し、対応するモードを始動することができる。
【００７９】
確認モード102によって、ユーザーはファックス送受信機10から送られたボイスメール、ビデオメール及び／またはファックスメールが受信側ファックス送受信機10の受信者によって受信されたかどうかを確認することができる。配信証明要求モード104によって、ユーザーは受信側ファックス送受信機10に送られたボイスメール、ビデオメール及び／またはファックスメール全てに関する配信証明要求の最新情報を自動的に受け取ることができる。チェックモード106によって、ユーザーはファックス送受信機10から送られたボイスメール、ビデオメール及び／またはファックスメールが関連する受信側ファックス送受信機10の受信者によって検索されたかどうかを直ちに確認することができる。小切手ファックスモード108によって、ユーザーは給料支払い小切手やその他の小切手支払い等の金銭小切手を安全にファックスすることができる。
【００８０】
使用者閲覧専用モード110によって、ユーザーはファックスを見る者が「読み取り専用」のファックス通信を見ることができるようにファックス送受信機10を構成することができる。手指／親指指紋スキャンモード112によって、ユーザーは手指／親指指紋スキャンによって対象となる受信者の真偽を確認することができる。網膜スキャンモード114によって、ユーザーは網膜スキャンによって対象となる受信者の真偽を確認することができる。読み取り専用モード116によって、ユーザーはボイスメール、ビデオメール及び／またはファックスメールだけを聞き／読むことができるようファックス送受信機10を構成することができる。即時状況モード118によって、ユーザーはボイスメール、ビデオメール及び／またはファックスメールを自分のファックス送受信機10で受信したことを自動的に知らされることができる。
【００８１】
複写（CC)モード120によって、ユーザーはボイスメール、ビデオメール及び／またはファックスメールの追跡番号のコピーを送信側ファックス送受信機10に送り返すことによってボイスメール、ビデオメール及び／またはファックスメールが開始されたことを確認することができる。ファックスキュウーモード122は先着順に送信されて来る呼び出しを配置するファックスキューをファックス送受信機10に提供し、受信側ファックス送受信機10が受信者の特定のボイスメール、ビデオメール及び／またはファックスメールを受信するおおよその時間を示すプロンプトを送信して来る呼び出し者（送信者等）に提供することができる。
【００８２】
識別モード124によって、ユーザーは連絡をとったファックス送受信機10が意図したファックス送受信機10であるかを確認することができる。ディレクトリプロンプトモード126によって、ファックス送受信機10を使うユーザーは相互接続する受信側ファックス送受信機10に受信側ファックス送受信機10で利用可能な内線番号のディレクトリを出すよう指令することができる。IHWTモード128によって、ファックス送受信機10のユーザーはインスタントメッセージング及び／または電子メールと同様の方法で通信することができる。ポートレートモード130によって、カメラを備えたファックス送受信機はユーザーに送信者及び／または受信者の画像とボイスメール、ビデオメール及び／またはファックスメール、または人物や物の画像（ライブフィード等）の画像を提供することができる。留守メッセージモード132によって、「休暇中」、「病気中」等の留守メッセージが受信側ファックス送受信機10に現れ、受信側ファックス送受信機10の特定の受信者がボイスメール、ビデオメール及び／またはファックスメールを受信するために特定の時間にいないことを送信者に知らせることができる。参考／ライブラリモード134によって、ファックス送受信機10は、企業／業者がその従業員／顧客に利用させたいと考えるボイスメール、ビデオメール及び／またはファックスメールの情報を収容するファックス送受信機10内の保存データベースへ内部及び／外部アクセスができるようになる。例えば、企業／業者価格シートはその企業／業者の営業員によって検索されるために内線番号とともに保存され、後で参照するために自動的に再保存することができる。さらに、保存機能はボイスメール、ビデオメール及び／またはファックスメールも保存することができる。
【００８３】
タッチパッドモード136によって、ファックス送受信機10は参加者がスクリプト対タイピングでインスタントメッセージ（IM）を行なえるように実物大のタッチパッドで構成し、始動することができる。送信者は後に検索するためにスクリプトされたメモを個人の内線番号に送ることができる。スクリプトはそれ自身を表現する際に利点がある。音声認知モード138によって、ファックス送受信機10はボイスメール、ビデオメール及び／またはファックスメールを送信する前に意図された受信者とあらかじめ保存しておいた一連の音声ライブラリとを一致させるよう構成することができる。人間の音声は全て独特な特徴を持っている。音声認知がボイスメール、ビデオメール及び／またはファックスメールの（付加的なセキュリティの）ために必要な場合、ファックス送受信機10はボイスメール、ビデオメール及び／またはファックスメールを送信する前に音声ライブラリをあらかじめ保存してある受信側ファックス送受信機10に一致するようプログラムすることができる。
【００８４】
共同加入線モード140によって、送信側ファックス送受信機10は共同加入線を通じて複数の受信側ファックス送受信機10と通信的に接続することができる（例えば、会議通話を電話に設置して電話をかけてくる人が異なる電話番号で複数の人／メンバーと通信できるようにする際と同様）。書類を見るモード142によって、ファックス送受信機10はファックスの送信者がファックスを受信側ファックス送受信機10へ電子的及び／または物理的に送信し、解放する前にファックス画像を下見することを必要とするかをファックス送受信機10で確認できるように構成することができる。
【００８５】
契約モード144によって、双方（送受信者等）から署名を必要とする契約、合意書、申し合わせ等のファックスの送受信者が双方のファックス通信先、送受信側ファックス送受信機10で双方の署名を見ることができる。さらに、契約モード144によって、送受信者の双方が実行された契約、合意書、申し合わせ等（双方によって署名される等）のコピーを印刷することもできるまた双方が印刷した複写コピーを見ることができる。また、契約モードは共同加入線モードと共に使用し、ファックス送受信機10が共同加入線を通じて複数の受信側ファックス送受信機10と通信的に接続することもできる。契約モードと共同加入線モードに通信的に接続された複数の送受信側ファックス送受信機10の場合、それぞれの送受信側ファックス送受信機10は分割画面技術によって各参加者がそれぞれの場所にある契約、合意書、申し合わせなどのファックス電子画像及び／またはファックス印刷画像を見ることができる。モードはファックス送受信機10上で組み合わせることができる。
【００８６】
図4はボイスメール、ビデオメール及び／またはファックスメールを特定の受信者に送信することに関する方法を示す。ここでは、ボイスメール、ビデオメール及び／またはファックスメールの受信者は少なくとも図1及び2に示されるファックス送受信機10を使用している。ボイスメール、ビデオメール及び／またはファックスメールを送信しようとするユーザー（例えば、送信者）は受信側ファックス送受信機10のファックス番号をダイアルし（ステップ200）、受信側ファックス送受信機10が送信者の信号に応答するのを待つ。信号が確認されると（ステップ202）、送信者は内線番号をダイアルするまで数秒間ある（受信者パスコード（ステップ204）。受信者パスコードは受信側ファックス送受信機10の特定のユーザーにあらかじめ与えられた番号または識別子である。
【００８７】
送信者は受信者に構成された受信者パスコードをダイアルした後、特定のボイスメール、ビデオメール及び／またはファックスメールに構成されたセキュリティパスコードをダイアルすることもできる（ステップ206）。その後、受信者パスコードとセキュリティパスコードを入力しなければ送信されたボイスメール、ビデオメール及び／またはファックスメールにアクセスすることはできない。このセキュリティパスコードはボイスメール、ビデオメール及び／またはファックスメールの送信者によって与えられ、受信者がボイスメール、ビデオメール及び／またはファックスメールにアクセスする前に受信者に連絡される。このようにしてファックス通信のセキュリティが強化される。
【００８８】
パスコード及び／またはセキュリティコードが入力されると、送信者は（通常、送信機の送信ボタンを押して）ボイスメール、ビデオメール及び／またはファックスメールを送信し（ステップ208）、ボイスメール、ビデオメール及び／またはファックスメールはその特定のパスコードに与えられたメモリー位置に保存される。パスコードが受信されないと、送信されたボイスメール、ビデオメール及び／またはファックスメールは、割り当てを持たないボイスメール、ビデオメール及び／またはファックスメールに与えられたメモリー位置に保存される。ボイスメール、ビデオメール及び／またはファックスメールが送信された後、送信者のファックス送受信機10は通信確認を印刷し、及び／または、メモリーに通信確認を保存し（ステップ210）、通信呼び出しを終了する（ステップ212）。
【００８９】
送信側ファックス送受信機10はパスコードを送信されたボイスメール、ビデオメール及び／またはファックスメール全てに自動的に与え、このコードを受信側ファックス送受信機10に送信するよう構成されることができる。その後、受信側ファックス送受信機10はこのコードをボイスメール、ビデオメール及び／またはファックスメールとともに保存する。さらに、パスコードは、送信されたボイスメール、ビデオメール及び／またはファックスメール全ての表面に日付、追跡番号、受信者のファックス送受信機番号、時間といったその他の標準情報とともに可視または不可視のインクで印刷することができる。
【００９０】
図5は送信側ファックス送受信機10がパスコードを送信されたボイスメール、ビデオメール及び／またはファックスメールの全てに与え、このコードを受信側ファックス送受信機10に送信する時に行なわれるステップを示す。プロセッサー66は着信音が待ってそして外部のファックス送受信機10と通信を確立しようとする（ステップ300）。通信が確立すると（ステップ302）、プロセッサー66は所定の時間一時停止し、パスコードを聞く（ステップ304）。パスコードが受信されないと（ステップ306）、プロセッサー66はボイスメール、ビデオメール及び／またはファックスメールを一般メモリー位置に与えて保存する（ステップ308）。送信されたボイスメール、ビデオメール及び／またはファックスメールの全てはこのメモリー位置に保存され、ユーザーの誰からもアクセス可能となる。
【００９１】
パスコードが受信され、認知されると（ステップ306）、プロセッサー66はパスコードに対応するユーザーに対してメモリーに登録を指定する（ステップ310）。その時、セキュリティコードが受信されると（ステップ312)、プロセッサー66はセキュリティコード受信後にファックスされた情報へのアクセスをブロックする。その後、ボイスメール、ビデオメール及び／またはファックスメールは全てあらかじめ作成されたメモリー登録に保存される。
【００９２】
図6はボイスメール、ビデオメール及び／またはファックスメールを検索のステップを示す。ボイスメール、ビデオメール及び／またはファックスメールを検索するためには、受信者はボイスメール、ビデオメール及び／またはファックスメール表示部28を見てボイスメール、ビデオメール及び／またはファックスメールが受信されたかどうかを確認する（ステップ400）。ファックス送信者によって入力された受信者パスコードはプロセッサー66によってテキスト名に変換することができる。この情報はプリプログラムすることができる。例えば、番号1254はドケット管理者等の肩書き、あるいはボブ・スミス等の従業員の名前に変換することができる。
【００９３】
ボイスメール、ビデオメール及び／またはファックスメールがあれば、受信者は自分の受信者パスコードを入力する（ステップ402）。このパスコードはプロセッサー66で確認することができる。ボイスメール、ビデオメール及び／またはファックスメールのいずれかがセキュリティコードを持つ場合、受信者はセキュリティを持つボイスメール、ビデオメール及び／またはファックスメールのそれぞれに対してセキュリティコードを入力する必要がある(ステップ404）。受信者コードが間違っていると、ファックス送受信機10は正しい受信者コードが受信者によって入力されるまで待つ。受信者コード及び／またはセキュリティコードが正しければ（ステップ408）、受信者はボイスメール、ビデオメール及び／またはファックスメールを印刷するよう要求することや（ステップ408）、ボイスメール、ビデオメール及び／またはファックスメールが相互接続したコンピュータに転送されるよう要求することができる（ステップ410）。ボイスメール、ビデオメール及び／またはファックスメールはボイスメール、ビデオメール及び／またはファックスメール表示部28にデフォルトとして表示することができ（ステップ416)、また、ボイスメール、ビデオメール及び／またはファックスメールはファックス送受信機10に保存し、ネットワーク接続内の相互接続するコンピュータによってアクセスすることができる。
【００９４】
ボイスメール、ビデオメール及び／またはファックスメールはLANやWANに接続するあらゆる形態の外部コンピュータからも検索されることができる。このような場合、図7に示されるように、ファックス送受信機10のプロセッサー66はファックス送受信機10に挿入されたネットワークカードを通じてネットワーク接続Hと通信する。ここからボイスメール、ビデオメール及び／またはファックスメールは外部コンピュータCにルーチングすることができる。ボイスメール、ビデオメール及び／またはファックスメールを確認する手順は、上述したものと同一であるが、ここでは、相互接続するコンピュータの受信者はボイスメール、ビデオメール及び／またはファックスメールをコンピュータのメモリーに保存、削除及び／または相互接続するプリンターからボイスメール、ビデオメール及び／またはファックスメールを印刷するオプションを持つ点が異なる。
【００９５】
さらに、図8に示すように、ファックス送受信機10は遠隔地アクセス機能も持ってもよい。ユーザーはボイスメール、ビデオメール及び／またはファックスメールをメモリーに転送したり、ファックス送受信機10に送られたボイスメール、ビデオメール及び／またはファックスメールの内容を確認したりするために遠隔地からファックス送受信機10にアクセスすることができる。
【００９６】
ファックス送受信機10への遠隔地からのアクセスは、ファックス送受信機10を最初に呼び出し、ファックス送受信機が通信回線を確立しようするまで待つ遠隔地アクセスユーザー（遠隔地のユーザー）を伴う（（ステップ600）と(ステップ602））。この時点では、遠隔地のユーザーはファックス送受信機10に信号を送り、例えばシャープ（＃）キー等の所定のキーを押して、遠隔地のファックス送受信機10と通信回線を確立しようとすることを止めることができる。その後、音声発生回路40は音声選択メニューを呈示し、遠隔地のユーザーに送信パスコードやセキュリティパスコードのいずれかを入力するオプションを与える（ステップ604）。
【００９７】
遠隔地のユーザーがパスコード、セキュリティパスコード等を入力すると（ステップ606）、プロセッサー66はコードを確認し（ステップ608）、どのくらいのボイスメール、ビデオメール及び／またはファックスメールがこの特定のパスコードに与えられたメモリーにあるかを遠隔地のユーザーに伝える（ステップ610）。ボイスメール、ビデオメール及び／またはファックスメールがあると、ユーザーは遠隔地のファックス送受信機10の番号をダイアルすることができる。そして、ファックス送受信機10はこの送信コードの下で保存されたボイスメール、ビデオメール及び／またはファックスメールを遠隔地のファックス送受信機10にダイアル、送信する（ステップ612、614、616、620、622、624）。
【００９８】
さらに、ファックス送受信機10によって、ファックス送信者は、意図された受信者が特定のボイスメール、ビデオメール及び／またはファックスメールを受信、アクセスしたかどうかを確認するために受信者のファックス送受信機10にアクセスすることができる。これによって、送信者は無音声呼び出しによって受信者のファックス送受信機10でボイスメール、ビデオメール及び／またはファックスメールの検索を確認することができる。送信者は受信者にアクセスし、ボイスメール、ビデオメール及び／またはファックスメールが受信されたことのみならず、受信者が実際にそのボイスメール、ビデオメール及び／またはファックスメールを読み出したことをひそかに確認することができる。パスコードは私用メール全てに使用されることができるので、ファックス送受信機10によって送信者は受信者のファックス送受信機10を呼び出し、パスコードと特定のボイスメール、ビデオメール及び／またはファックスメール番号をダイアルすることができ、ファックス送受信機10はボイスメール、ビデオメール及び／またはファックスメールが検索されたかどうか、または、その検索がまだなされていないかを確認することができる。この機能は本発明の内容を実行するために構成された全てのシステムにおいて、特に、企業間の通信において有用である。可視または不可視の通信番号は、日付、受信者のファックス番号等その他の標準情報とともに送信される全てのボイスメール、ビデオメール及び／またはファックスメールの表面に現すことができる。
【００９９】
図9に示すように、ファックス送受信機10は確認モードに構成することができる。ボイスメール、ビデオメール及び／またはファックスメールが送信され、ファックス送受信機10が確認モードに構成されると（ステップ700)、無音声呼び出しが行なわれ（ステップ702）、信号が何も受信されなければ（ステップ706）、ファックス送受信機10は信号を待ち、信号を確認する（ステップ704）。ボイスメール、ビデオメール及び／またはファックスメール追跡番号が入力され、ボイスメール、ビデオメール及び／またはファックスメールの状況が検索され、ボイスメール、ビデオメール及び／またはファックスメールが受信者によって検索されたかどうか、または、検索がまだ行なわれていないかを確認する（ステップ706、710、712、714）。さらに、ファックス送受信機10は配信証明要求モードに構成することもできる。ボイスメール、ビデオメール及び／またはファックスメールが特定の受信側ファックス送受信機10に送信され、送信側ファックス送受信機10が配信証明要求モードに構成されると、送信者は受信側ファックス送受信機10に送られたボイスメール、ビデオメール及び／またはファックスメール全てについて配信証明要求の最新情報を自動的に受信することができる。
【０１００】
また、送信者は、次回に送信側ファックス送受信機10が通信的に特定の受信側ファックス送受信機10と相互接続するよう、配信証明要求の通信とともに受信側ファックス送受信機10の内線番号をプログラムすることができ、受信側ファックス送受信機10の受信者が関連するボイスメール、ビデオメール及び／またはファックスメールを検索するまで、検索がまだ行なわれていない等の最新情報をその度現すことができる。この際、時間、日付等、関連する全てのデータは送信側ファックス送受信機10へ送り返され、そのボイスメール、ビデオメール及び／またはファックスメールの配信が行なわれたという証拠となる。さらに、受信側ファックス送受信機10は、送信側ファックス送受信機10が配信証明要求モードに構成され、ボイスメール、ビデオメール及び／またはファックスメールを受信側ファックス送受信機10に送信する際、送信側ファックス送受信機10へ自動的にダイアルし返すよう構成することもできる。このようなオプション機能は主として企業間の使用のためのものであり、時宜にかなった通信の方が通話を節約することよりも勝ると企業は考えている。
【０１０１】
ボイスメッセージ（ボイスメール等）は、ボイスメール、ビデオメール及び／またはファックスメールを送信する際のファックス送受信機10から送信されたボイスメール、ビデオメール及び／またはファックスメールに付け加えられ、または、含まれてもよい。送信者はボイスメールコードをパンチした後、受話器を耳に当てて、ボイスメールメッセージを残すよう電話プロンプトが信号を発するまで待つことができる。ボイスメールが添付されたボイスメール、ビデオメール及び／またはファックスメールの受信者はアイコンと下見用画面に現れた追跡番号によって通知される。受信者は追跡番号を入力し、そのボイスメールの添付を受け取ることができる。ボイスメールは以前に送信されたボイスメール、ビデオメール及び／またはファックスメール全てにそれらが受信者に検索される前まで付け加えることができる。さらに、ボイスメールは添付なしに単独で送信することもでき、ファックス送受信機10ならどれからも、または、コンピュータ接続や電話で接続されるファックス送受信機10ならどれからも検索することができる。
【０１０２】
電話によるファックス送受信機10上に残されたボイスメールにアクセスするためには、ユーザーは内線番号を入力して、どのくらいのボイスメール、ビデオメール及び／またはファックスメールがまだ検索されていないかを教えられ、読み出されていないボイスメールを保存、送信及び／または聞くよう、または、上述したようにビデオ／ファックスメールを検索するよう指示される。
【０１０３】
ボイスメール、ビデオメール及び／またはファックスメールがファックス送受信機10に持つ余分のメモリー保存スペースを相殺するために、ファックス送受信機10は１つ以上の2次的電話／DSL／ケーブル線を備え、ファックス送受信機10のメモリーから送信されなかったボイスメール、ビデオメール及び／またはファックスメールの全てをデフォルトに構成することができる。より詳しくは、ボイスメール、ビデオメール及び／またはファックスメールの送信が、多大な時間を必要とする情報収集の通信、例えば、モード通信の確認、ボイスメール通信等によって妨げられないようにするよう構成することができる。ファックス送受信機10は、特定のボイスメール、ビデオメール及び／またはファックスメールにスピードの問題が生じた時、特定の通信ラインをデフォルトするよう指示されている。
【０１０４】
ボイスメール、ビデオメール及び／またはファックスメールの配信速度維持の配信速度管理は、別のファックス送受信機10と電子的に接続させる前にファックス送受信機10にハードコピーの書類をスキャンさせ、ファックス送受信機10のメモリーに挿入させることで強化することができる。このようなボイスメール、ビデオメール及び／またはファックスメールの配信速度維持の配信速度管理は、ファックス送受信機10の実用性を改善する。なぜなら、ボイスメール、ビデオメール及び／またはファックスメールの電子的移動は、接続された後ファックスがファックス送受信機10によってスクロールされ、スキャンされるのを待つ長い時間に比べれば、短い接続時間しか必要としないからである。
【０１０５】
小切手を安全にファックスすることは、送信側ファックス送受信機10と受信側ファックス送受信機10間の通信に関わる。幾つかの独自の特徴に加えて従来の小切手804の用語を含んだ小切手用紙が使用される。上記の小切手用紙800のサンプルが図10に示されている。小切手用紙800はファックス送受信機10に簡単に入れられるように全判用紙の大きさでもよい。バーコード802は小切手用紙800の片側につけられ、印刷された小切手上に独自の追跡番号をつける。追跡番号は小切手用紙800のバーコード802に並んで繰り返し現れる。
【０１０６】
小切手用紙800はセルロース系繊維の網からできており、「酸性」過程や「アルカリ性」過程等のどんな紙製造過程を使っても作られることもできる。小切手用紙800は精密に定義された基準で製造されたセルロース系繊維の特定の種類、鉱物及び／またはプラスチック充てん色素、染料、サイズ剤、強度強化ポリマー等の混合物を含み、ユーザーの所望に基づき仕上ることができる。
【０１０７】
図11に示すように、ファックス送受信機10は着信する電話の呼び出しの通信回路をモニターする（ステップ900）。着信する電話の呼び出しが受信されると通信回路が確立される（ステップ902)。送信側ファックス送受信機10が小切手をファックスするモードの場合、小切手ファックスの信号を送り、それは受信側ファックス送受信機10によって感知される（ステップ900）。この時点で、受信側ファックス送受信機10は補助ペーパートレイから小切手用紙のシートを取り出し、それをバーコードリーダーでスキャンできる位置に置く。
【０１０８】
バーコードリーダーは小切手のバーコードをスキャンし、追跡番号を現出し、それを送信側ファックス送受信機10へ送り返す（ステップ908）。その後、受信側ファックス送受信機10は追跡番号を受信・確認するまで所定の時間待つ（ステップ910）。所定の時間が終了する前に追跡番号が受信されず、確認されなければ、ファックスの取引は終了する。追跡番号が受信され、送信した追跡番号と一致すれば、受信側ファックス送受信機10は送信側ファックス送受信機10に小切手を送信するよう指示する信号を送りかえす（ステップ912)。受信した小切手の情報は全てメモリーに保存され、コピーが送信側ファックス送受信機10に送られる（ステップ914）。その後、受信側ファックス送受信機10は送信側ファックス送受信機10からの印刷信号を受信するまでしばらく待つ（ステップ916）。企業間ファックス送受信機10はセキュリティステップの一部を省略するよう構成することができる。例えば、受信側ファックス送受信機10のバーコードリーダーが小切手用紙に位置を合わせたシートを的確にスキャンする限り、小切手を企業間のファックス送受信機10に送ることができる。信号を受信すると、小切手が印刷され（ステップ918)、取引が終了し、信号を受信しない場合は、小切手の情報はメモリーから消去される（ステップ920）。
【０１０９】
図12に概要を示したように、小切手を送るために、送信者は受信側ファックス送受信機10にダイアルし、通信回線を確立する（ステップ1000、1050）。送信側ファックス送受信機10は追跡番号が受信されるまで待つ（ステップ1052）。所定の時間内に番号が受信されないと、取引は終了する。追跡番号が受信されると、追跡番号はボイスメール、ビデオメール及び／またはファックスメール表示部28に表示される（ステップ1054）。その時、ユーザーはその追跡番号を送信側ファックス送受信機10の操作パネル12に打ち込み、送信側ファックス送受信機10は受信側ファックス送受信機10へ送信を開始する（ステップ1056）。番号が確認されると、受信側ファックス送受信機10は小切手の送信開始を行なうよう送信側ファックス送受信機10に信号を送る。この送信がうまくいくと、送信側ファックス送受信機10は小切手を送信し（ステップ1020）、例えば、交渉不可能等の所定のメッセージを小切手に印刷し（ステップ1022）、取引は終了する。
【０１１０】
ファックス送受信機10の封印したペーパートレイ20の安全で／ロックされた区画に小切手を送ることによって、ファックス送受信機10が小切手ファックスモードになっている時、小切手とその安全性は強化することができる。さらに、安全にロックされた区画が物理的にロックされる場合、または、この安全にロックされた区画を始動する特定のコードが受信側ファックス送受信機10から一致するコードを受信する場合、こうした封印した1ペーパートレイ20の安全で／ロックされた区画が機能しないようファックス送受信機10をプログラムすることもできる。また、ファックス送受信機10は、金額のプライバシーを守るために小切手の受信者の名前のみを現すよう構成された機械折りたたみ式デバイスを備えることもできる（例えば、給与支払い小切手等）。
【０１１１】
ファックス送受信機10経由のボイスメール、ビデオメール及び／またはファックスメールのセキュリティは使用者閲覧専用モード110、手指／親指指紋スキャンモード112、網膜スキャンモード114及び／または音声認知モード138にファックス送受信機10を構成することによってさらに強化することができる。また、ファックス送受信機10は、その特定のセキュリティ構成が破られた際に警報を始動するよう構成することもできる。このような警報始動は所定のデシベルレベルで可聴式の音声を発生させるか、または、遠隔地にいる承認を受けた者にセキュリティプロトコールが破られたことを知らせる無線または有線による信号通信を発生させることができる。使用者閲覧専用モード110は、使用者にのみ「読み出し専用」の取引を閲覧することを許すアイホールを有した引き込み式の画面カバーの使用に関わる。まず、画面カバーは受信側ファックス送受信機10上の場所に置かれる。使用者及び／または受信者の目／顔が画目カバーの後ろに置かれ、センサーによって感知されると、ボイスメール、ビデオメール及び／またはファックスメールが始動される。ボイスメール、ビデオメール及び／またはファックスメールにオーディオ部分があるとき、それを見るだけではく、ユーザーはボイスメール、ビデオメール及び／またはファックスメールとともにボイスメール、ビデオメール及び／またはファックスメールのオーディオ部分を聞けるようにヘッドフォンをファックス送受信機10と相互接続することができる。使用者及び／または受信者の目／顔とヘッドフォンが画面カバーの後ろから除かれると、センサーはその存在を感知しなくなり、ボイスメール、ビデオメール及び／またはファックスメールは解除される。
【０１１２】
手指／親指指紋スキャンモード112では、ボイスメール、ビデオメール及び／またはファックスメールの受信者はスキャンニングパッドに接触する必要があり、それによって意図された受信者の真偽を確認する。ボイスメール、ビデオメール及び／またはファックスメールの送信が確立されると、送信が開始される。網膜スキャンモード114では、ボイスメール、ビデオメール及び／またはファックスメールの受信者は自分の網膜を見る必要があり、それによって、受信者の真偽を確認する。ボイスメール、ビデオメール及び／またはファックスメールの送信が確立されると、送信が開始される。
【０１１３】
手指／親指指紋スキャンモード112、網膜スキャンモード114及び／または音声認知モード138によって、使用者閲覧専用モード110によるボイスメール、ビデオメール及び／またはファックスメールの送信者に使用者閲覧専用モード110の上に付加的なセキュリティが提供される。
【０１１４】
送信者はモードを組み合わせることもできる。例えば、送信者が使用者閲覧専用モード110と手指／親指指紋スキャンモード112を必要とする場合、受信者は引き込み式の画面カバーを始動し、自分の目を位置に置き、指紋をスキャンニングパッドに押し続けてボイスメール、ビデオメール及び／またはファックスメールの送信を行なえるようにしなければならない。手指／親指指紋スキャンモード112、網膜スキャンモード114及び／または音声認知モード138は関連ファックス送受信機10を使用する者全ての指紋スキャン、網膜スキャン、音声サンプルのライブラリのプレロードを必要とする.
こうした指紋スキャン、網膜スキャン及び／または音声サンプルのライブラリのプレロードはユーザーの所望に基づいて行なうことができる。例えば、企業／業者の中には使用する各ファックス送受信機内に従業員の指紋スキャン、網膜スキャン及び／または音声サンプルを使われている各々のファックス送受信機  １０にロードするところもあれば、受信側ファックス送受信機10内のみにそれらをロードするところもある。手指／親指指紋及び／または網膜スキャンは現在のボイスメール、ビデオメール及び／またはファックスメールの受信者を将来確認するために行なわれる。
【０１１５】
例えば、ユーザーは特定の受信者に特定のボイスメール、ビデオメール及び／またはファックスメールを解放したいと考えるが、受信者の独自の指紋の特徴をしばらく経ってから出ないと確認できないこともある。しかし、このような受信者は自分が完全に検査されていることを知っており、ファックス送受信機10のセキュリティシステムから逃れようとしないことは明らかである。手指／親指指紋スキャンモード112、網膜スキャンモード114及び／または音声認知モード138がボイスメール、ビデオメール及び／またはファックスメールの送信者から要求される場合、ボイスメール、ビデオメール及び／またはファックスメールは読み取り専用モードで送信される必要はなく、それらは印刷及び／または保存することができる。こうしたモードは、バーコードの読み取りに付随する小切手ファックスモード108を模範としており、送信番号を送り、上述のように送信者によって小切手が送ることを要求されるかもしれない。言い換えると、スキャンされた指紋／網膜／音声は独自の番号を生み出し、この番号は送信の前に使用することができる。
【０１１６】
ユーザーがボイスメール、ビデオメール及び／またはファックスメール及び／または小切手の受信を予測している際、ユーザーは即時状況モード118にファックス送受信機10を構成することができる。ファックス送受信機10が即時状況モード118に構成されている場合、ファックス送受信機10はボイスメール、ビデオメール及び／またはファックスメールを受信した時にユーザーに即時／同時告知することができる。これは内線ホルダーキーで即時状況モードを打ち込み、相手の内線番号を入力した後で、相手が自分に連絡できる番号  たとえば携帯電話、PC、IM、固定電話、ポケベル等の番号を入力することによって行なうことができる。
【０１１７】
ユーザーがファックス送受信機10からのボイスメール、ビデオメール及び／またはファックスメールが受信側ファックス送受信機10に送信されたというコピーを送ったり、または、その確証を送りたい場合、ユーザーはCCモード120にファックス送受信機10を構成することができる。このように構成した後、送信側ファックス送受信機10はまずコピー送信を行ない、次に送信側ファックス送受信機10の本人のコピー上にコピー受信者の名前とともに追跡番号を現すよう構成することができる。複数のコピー送信の場合、コピー送信は全て、本人への送信に先立って行なわれる。その後、本人（ボイスメール、ビデオメール及び／またはファックスメールの受信者）はコピー送信全ての追跡番号を受信し、ファックス送受信機10を使用して本人はこれら配信されたコピー送信を確認することができる。
【０１１８】
ファックスキューモード122によって、受信側ファックス送受信機10は着信する呼び出しを先着順に配置するファックスキューが提供され、送信する呼び出し者（送信者）に受信側ファックス送受信機10が特定のボイスメール、ビデオメール及び／またはファックスメールを受信するおおよその時間を示すプロンプトを与える。例えば、ファックスキューモード122によって、ファックス送受信機10は「貴方のメールは約30秒で配信されます」、「貴方のメールは10秒で配信されます」、「貴方のメールは配信されました」等のメッセージを与えることができるようにする。
【０１１９】
識別モード124によって、ユーザーは自分が連絡をとったファックス送受信機10が意図したファックス送受信機10であるかを確認することができる。自分が連絡をとった特定のファックス送受信機10が実際に意図したファックス送受信機10であることを確認する必要がある際、送信者は識別モード124にファックス送受信機を構成し、受信側ファックス送受信機10の所有者、場所等を言葉で、または、表示画面の読み取りを通して、またはこれら両方の方法で受信側ファックス送受信機10に開示するよう指令する。識別が正確な場合、送信者は安心してそのボイスメール、ビデオメール及び／またはファックスメールを解放することができる。
【０１２０】
ディレクトリプロンプトモード12６によって、送信側ファックス送受信機10を使用するユーザーは相互接続する受信側ファックス送受信機10で利用可能な内線番号のディレクトリを提供するよう受信側ファックス送受信機10に指令することができる。利用可能な内線番号は受信側ファックス送受信機10の全ての内線番号であるとは限らない。
【０１２１】
IHWTモード128によって、ファックス送受信機10のユーザーはインスタントメッセージや電子メールと同様のやり方で通信することができる。例えば、IHWTモードに構成されたファックス送受信機10は別のファックス送受信機10とインスタントメッセージや電子メールと同様のやり方で通信し、または、ローカルエリア及び／または広域ネットワーク通信と相互接続するコンピューティングデバイスとインスタントメッセージや電子メールと同様のやり方で通信することができる。この機能によって、ファックス送受信機10及び／またはIHWTモード128を備えるファックス送受信機10と相互接続するコンピュータデバイスがインスタントメッセージや電子メールと同様のやり方で通信することができる。この相互接続は電話／ケーブル、ローカルエリア及び／または広域ネットワーク通信によって達成することができる。全ての参加者の名簿はユーザーそれぞれの表示画面上で見ることができ、このモードに構成してあるどの人とも雑談することができる。企業／業者はインターネットと繋がるよりも企業／業者内のネットワークにとどまることであろう。さらに、メッセージが即時の応答を必要とする場合、例えば、企業幹部は従業員／同僚が多くの電話呼び出しよりも無限のボイスメールを選ぶことをみつけている。尚、この機能はファックス送受信機10に通常備えられる配信証明全てを持つとは限らないが、この機能とその有用性はこの欠点を上回るものである。
【０１２２】
ポートレートモード130によって、カメラを備えたファックス送受信機はユーザーにボイスメール、ビデオメール及び／またはファックスメールの送信者及び／または受信者の画像を提供することができる。ファックス送受信機10はポートレートモード130を実行するための様々な方法に構成することができる。例えば、鏡に映った画像が受信側ファックス送受信機10及び／または遠隔地のファックス送受信機10から見ることができるように受信したファックス書類の近くに鏡を置くことができる。さらに、カメラ26はスイベルとともにカメラレンズの方向を調節することができるように構成することもできる。
【０１２３】
留守メッセージモード132によって、「休暇中」、「病気中」等の留守メッセージが受信側ファックス送受信機10に構成され、受信側ファックス送受信機10の特定の人が特定の時間にボイスメール、ビデオメール及び／またはファックスメールを受信できないことを送信者が知ることができる。留守メッセージモード132は直ちに送信者の注意を喚起し、送信者がファックス送受信機10に保存された留守メッセージにアクセスできるようにする。留守メッセージはファックス送受信機10に保存することもできるし、遠隔地の装置からファックス送受信機10に通信的に接続することもできる。IHWTモード128の例外を除き、受信側ファックス送受信機10にいる人は「私はボイスメール、ビデオメール及び／またはファックスメールを受信しませんでした」と言うことはできない。
【０１２４】
留守メッセージは言葉でも、印刷されたものでも、ビデオによるものでもよい。ビデオはイージーロードのためにデジタルカメラと、メモリーを補足するためのハードドライブの使用によって行なわれてもよい。参考／ライブラリモード134は前記と同様に作用する。なにかの理由でファックス受信機１０がボイスメール、ビデオメール及び／またはファックスメール受信できない場合は、（たとえば断線、プログラムされていない内線番号、通信リンク誤動作等）、送信者にボイスメール、ビデオメール及び／またはファックスメールが配達できなければ、直ぐに通知される、それによってボイスメール、ビデオメール及び／またはファックスメールの遅れを最小化する。
【０１２５】
参考／ライブラリモード134は、企業／業者がその従業員／顧客に利用してもらおうと考える書類／情報を保存する、ファックス送受信機10の保存データベースに内部及び／または外部アクセスすることをファックス送受信機10に可能にする。例えば、企業／業者の価格シートを内線番号とともに保存し、その企業／業者の営業員によって検索され、将来の参考のために自動的に再保存することができる。さらに、保存機能はビデオ及び／または音声を保存することもできる。相互接続するマウス34によって、ユーザーはこの機能を非常に効果的に使うことができる。なぜなら、ユーザーは参考／ライブラリモードのアイコンを素早くクリックし、ファックスカバーシート等の利用可能な書類のリストの中から選択できるからである。さらに、保存された書類は、ユーザーの返信住所等の前もって決められた情報を提供するようプログラムすることもできる。ユーザーがパスコードを入力すると、ユーザーの返信住所が自動的にファックスカバーシートに日付／時間等や所見部分の下にタイプする機能（プログラムされたファックス編集者を通して等）とともに現れ、ファックスの表書きと情報は其の意図された受信者に送ることができる。
【０１２６】
タッチパッドモード136によって、ファックス送受信機10は参加者がスクリプト対タイピングでインスタントメッセージを行なえるように実物大のタッチパッドで構成し、始動することができる。送信者は後に検索するためにスクリプトされたメモを個人の内線番号に送ることができる。スクリプトはそれ自身を表現する際に利点がある。音声認知モード138によって、ファックス送受信機10はボイスメール、ビデオメール及び／またはファックスメールを送信する前に意図された受信者とあらかじめ保存しておいた一連の音声ライブラリとを一致させるよう構成することができる。人間の音声は全て独特な特徴を持っている。音声認知がボイスメール、ビデオメール及び／またはファックスメールの（付加的なセキュリティの）ために必要な場合、ファックス送受信機10はボイスメール、ビデオメール及び／またはファックスメールを送信する前に音声ライブラリをあらかじめ保存してある受信側ファックス送受信機10に一致するようプログラムすることができる。
【０１２７】
共同加入線モード140によって、送信側ファックス送受信機10は共同加入線を通じて複数の受信側ファックス送受信機10と通信的に接続することができる（例えば、会議通話を電話に設置して電話をかけてくる人が異なる電話番号で複数の人／メンバーと通信できるようにする際と同様）。書類を見るモード142によって、ファックス送受信機10はファックスの送信者がファックスを受信側ファックス送受信機10へ電子的及び／または物理的に送信し、解放する前にファックス画像を下見することを必要とするかをファックス送受信機10で確認できる。契約モード144によって、双方（送受信者等）から署名を必要とする契約、合意書、申し合わせ等のファックスの送受信者が双方のファックス通信先、送受信側ファックス送受信機10で双方の署名を見ることができる。
【０１２８】
さらに、契約モード144によって、送受信者の双方が実行された契約、合意書、申し合わせ等（双方によって署名される等）のコピーを印刷することもでき、そして送受信者の双方が実行された契約、合意書、申し合わせ等（双方によって署名される等）のコピーを見ることができる。また、契約モードは共同加入線モードと共に使用し、ファックス送受信機10が共同加入線を通じて複数の受信側ファックス送受信機10と通信的に接続することもできる。契約モードと共同加入線モードに通信的に接続された複数の送受信側ファックス送受信機10の場合、それぞれの送受信側ファックス送受信機10は分割画面技術によって各参加者がそれぞれの場所にある契約、合意書、申し合わせなどのファックス電子画像及び／またはファックス印刷画像を見ることができる。上記のどんなモードでも又は全部のモードはファックス送受信機10上で組み合わせることができる。
【０１２９】
送信側ファックス送受信機10が契約モード144にセットされ、送信者が契約、合意書、申し合わせ等のファックスを受信側ファックス送受信機10の受信者に送信した場合、契約、合意書、申し合わせ等のファックスは、ファックスが送信側ファックス送受信機10と受信側ファックス送受信機10の両方で電子的及び／または物理的に解放できるよう送信側ファックス送受信機10に送り返される。送信者と受信者は双方とも、契約、合意書、申し合わせ等のファックスの電子的及び／または物理的解放に先立ち、その契約、合意書、申し合わせ等のファックスの画像をそれぞれのファックス送受信機10のボイスメール、ビデオメール及び／またはファックスメール表示部28で下見することができる。契約、合意書、申し合わせ等のファックスの送信者と受信者は双方とも、契約、合意書、申し合わせ等のファックスが受信側ファックス送受信機10に送信された後、および、送信者／受信者が好ましくは分割画面技術によってそれぞれのファックス送受信機10のボイスメール、ビデオメール及び／またはファックスメール表示部28でファックス画像を下見した後で、それぞれのファックス送受信機10の署名パッド56に署名することによって契約のファックスに署名をすることができる。さらに、送信者及び受信者は双方とも、それぞれのファックス送受信機10の署名パッド56を使って契約、合意書、申し合わせ等のファックス画像に署名をした後、それぞれのファックス送受信機10で電子的及び／または物理的にファックスを解放する前に、ファックス画像を下見することもできる。
【０１３０】
ファックスが送信側ファックス送受信機から電子的に解放された後で契約、合意書、申し合わせ等のファックス画像が送受信側ファックス送受信機10でそれぞれ印刷されると、送受信側ファックス送受信機10のそれぞれの書類の上にある封印したペーパートレイ20の透明カバーの下にファックスの印刷画像がおかれる。さらに、契約、合意書、申し合わせ等のファックスの印刷画像は送信者及び／または受信者によって署名される前に下見をすることもできる。契約、合意書、申し合わせ等のファックス画像が印刷された後で送信者及び／または受信者が契約、合意書、申し合わせ等のファックスの印刷画像に署名をすることを決めると、送信者及び／または受信者は契約、合意書、申し合わせ等のファックスの印刷画像をスクロールして撮像装置／プリンターの下の位置に置くことができ、または、あらかじめ保存された、もしくはその場で署名された送信者及び／または受信者の署名を印刷するために撮像装置／プリンターがファックス書類の上部に移動して所望の位置に署名がなされるようにすることもできる。さらに、送信者及び／または受信者はそれぞれの場所で契約、合意書、申し合わせ等のファックスの印刷画像に独自に署名をすることもできる。例えば、送信側ファックス送受信機10で署名を行い、また、受信側ファックス送受信機10で署名を行なうなどである。好ましくは、契約モード144はまず送信者が契約、合意書、申し合わせ等に署名した後で受信者及び／またはその他の者がその契約、合意書、申し合わせ等に署名をすることを必要とする用に構成できる。
【０１３１】
記録カメラ26と受信側ファックス送受信機10の光は移動可能なスイベルに設置され、その信号をコーダーとデコーダーに与える。コーダーとデコーダーは受信した情報をサンプリングする。この際、受信側ファックス送受信機10が書類を見るモード142に構成されている時、高品質ビデオ画像データが圧縮ユニットによって圧縮された後でモデム30を通じて受信側ファックス送受信機10に送信される。送信側ファックス送受信機10のモデム30は、送信側ファックス送受信機10のプロセッサー66からの指令を受信する。その指令は、ファックスのコード化されたビデオ信号を見るために送信側ファックス送受信機10のためのオープンチャネルを維持させようとするものや、遠隔地のファックス送受信機10のメッセージバッファに保存されたファックスの場合、受信側ファックス送受信機10がそのプリンター24を始動し、ファックス画像を印刷する準備ができているという応答メッセージを受信すると受信側ファックス送受信機10に再度ダイアルさせるものである。
【０１３２】
送信側ファックス送受信機10のボイスメール、ビデオメール及び／またはファックスメール表示部28上で解読・解凍されたファックス画像を受信・下見すると、有鍵の承認または不可のメッセージが送信側ファックス送受信機10の操作パネル12に入力されて、メッセージは受信側ファックス送受信機10のプロセッサー66に送られ、封印された書類受信ホルダーの紙面のメッセージが（電子的及び／または物理的に）解放されてことを示す。
【０１３３】
ファックス送受信機10は安全な書類印刷、読み取り、記録カメラスキャンニング及び／または電子的または物理的解放機能を可能にするよう構成されている。受信側ファックス送受信機10のメモリー68によるファックス情報の物理的解放の後、プリンター24はファックス送受信機10の紙引き込み室から紙を一枚選択する。レーザープリンターの場合は、印刷レーザーは意図された一枚の紙に静電気を帯電させる。その後、印刷ドライブホイールによって静電気が帯電された紙はトナードラムホイールの上に送り込まれ、トナードラムホイールは紙の電気が帯電する部分にトナーを塗布する。さらに、その紙は透明部分を上部に向けた封印された書類受信ホルダーの中に送り込まれる。そして、ファックス送受信機10の記録カメラを備えた光が透明部分を照らす。その後、紙は記録カメラ26によってスキャンされ、記録カメラ26は、ビデオ信号を解読・解凍して送信遅延を最小限にした後で紙の印刷画像を送信側ファックス送受信機10にリビューのために送り返す。送信側ファックス送受信機10から有鍵のメッセージ応答を受信すると、プリンター24は、ファックスの送信者によるファックスの承認または不可の決定に対応する印刷された紙にさらに静電気を帯電させトナーを塗布する。トナーを塗布し終えると、印刷された紙はファックス送受信機10から押し出される。
【０１３４】
スキャンされ、別の装置にファックスされる紙は書類取り入れトレーからファックス送受信機10に入れられる。書類取り入れローラーはペーパースキャナー46によって紙を移動し、ペーパースキャナーは紙の内容を光学的にスキャンし、紙のスキャンされた画像をデジタル化し、そのファックス画像データを遠隔地のファックス送受信機10のメモリー68にモデム30によって送信する。さらに、スキャンされた紙はファックス書類ローラーホイールによってファックス送受信機10から押し出される。遠隔地のファックス送受信機10が封印したペーパートレイ20でファックスを受信したと知らせ、ファックス画像がリビューのための準備ができているというメッセージを受信すると、ファックスを操作する者は付随するボイスメール、ビデオメール及び／またはファックスメール表示部28でファックス画像を見ることができる。
【０１３５】
図13は小切手を送信するためにファックス送受信機10を使用する方法の図を示す。送信者または支払人は自分の家またはオフィスの場所1100で小切手を書く。ファックス送受信機10を使い、小切手は地元の電話線と公共交換網1110を通してベンダーまたは販売業者の支払勘定位置1112にある対応するファックス送受信機10に送信される。ファックス送受信機10を使い、支払人1100は、その小切手を承認するファックスが受取人1112に正しく送信されたことを確認し、ファックス送受信機10の封印したペーパートレイ20から承認スタンプを持つ小切手の紙コピーを電子的及び／または物理的に解放する。承認されたファックスの小切手を受け取った後、ベンダーまたは販売業者はファックスされた小切手に正しく裏書きし、私用または公共交換電話網1110に音声電話回線で繋がっているファックス送受信機10を使って支払うために、場合によって自分の銀行1114、または支払人の銀行1118に裏書した小切手をファックスまたは預け入れする。仲介人や米国連邦準備銀行1116が関わる場合は、裏書し、最終的に取り消しされた小切手を支払人の銀行1118に送信し、送信者または支払人1100に送り返す際のファックス、下見、承認及び解放の過程は同一である。私用ネットワークやデータ回路で互いに接続している小切手を書く人、ベンダー及び銀行の場合は、手続きは上述したものとは異なる。
【０１３６】
馬による郵便配達や電報はその全盛期には他のいずれの手段よりも効率的だった。米国の郵便システムは信頼できるものに成長したが、現代のペースの速い世の中では時代遅れとなってきている。翌日配達や、もし翌日配達が速く、10ドルを払うのが安上がりと考えるなら、郵便を使いなさい。今日に至るまでファックス送受信機は「物足りなく」、インターネットは「紙詰まり」し（広告／ポップアップ式広告）、「危険で」ある（コンピュータウイルス／ハッカー）。
【０１３７】
ファックス送受信機10は永久に機能し持ちこたえる。ファックス送受信機10によってボイスメール、ビデオメール及び／またはファックスメールの送信者はボイスメール、ビデオメール及び／またはファックスメールを制御でき、送信者はボイスメール、ビデオメール及び／またはファックスメールがWANを通してファックス送受信機10を使う意図された受信者へ送信されるのを確認することができる。この観点から見てみると、ファックス送受信機10はユーザーのオフィスにワイヤ、ケーブル等で接続されるシステムであり、意図された受信者の所にあるプリンターはユーザーの制御下にあり、ファックス書類はユーザーがファックスを校正し、または、ファックスの配信や破壊をしてもよいと感じるまで、ガラスの容器に安全に保管することができるのである。
【０１３８】
接続するLANとファックス送受信機10に接続するWANにある内線番号とそれに対応する名前はボイスメール、ビデオメール及び／またはファックスメールを配信証明付きで送信することができ、ユーザーは自分が郵便配達人となりボイスメール、ビデオメール及び／またはファックスメールを郵便箱に自分で置いたような感覚を覚える。または、ユーザーはインターネット上のように雑談（インスタントメッセージング）をすることもできる。もし全てのオフィスがファックス送受信機10を備えていれば、全てのオフィスが接続されることになる。ファックス送受信機10は無限の可能性を持っている。
【０１３９】
本発明はその好ましい実施例に関する参考文献とともに説明される一方、本発明の真の精神や適用範囲から逸脱することなく様々な変更が加えることができ、同様のものがこれらの要素を取変えることができることを同業者は理解するであろう。さらに、本発明の本質的内容から逸脱することなく多くの変更が特定の状況や材料を本発明の内容に適応させることも可能である。
【図面の簡単な説明】
【０１４０】
【図１】図１は、本発明のボイスメール、ビデオメール及び／またはファックスメールをルーチングし、ファックス書類を見るための個人化したファックスシステムの周辺図である。
【図２】図2は、本発明のボイスメール、ビデオメール及び／またはファックスメールをルーチングし、ファックス書類を見るための個人化したファックスシステムの構成図である。
【図３】図3は、本発明のボイスメール、ビデオメール及び／またはファックスメールをルーチングし、ファックス書類を見るための個人化したファックスシステムに関連するモードの構成図である。
【図４】図4は、本発明のボイスメール、ビデオメール及び／またはファックスメールを受信用ファックス送受信機からルーチングする方法のフローチャートである。
【図５】図5は、本発明のボイスメール、ビデオメール及び／またはファックスメールを受信用ファックス送受信機へルーチングする方法のフローチャートである。
【図６】図6は、本発明に基づき、ファックス送受信機にさらにボイスメール、ビデオメール及び／またはファックスメールを印刷または保存する指令を与え、またはそれらを受けるとともに、ファックス書類を見るための方法のフローチャートである。
【図７】図7は、本発明のボイスメール、ビデオメール及び／またはファックスメールのためのルーチングシステムとファックス書類を見るための周辺図である。
【図８】図8は、本発明のファックス送受信機からボイスメール、ビデオメール及び／またはファックスメールに遠隔地からアクセスする方法のフローチャートである。
【図９】図9は、本発明に基づき、ボイスメール、ビデオメール及び／またはファックスメールを受信者が受信したことを送信者が確認し、ファックス書類を見るための方法のフローチャートである。
【図１０】図10は、本発明の小切手ファックス用紙の例である。
【図１１】図11は、本発明に基づき、小切手を受信用ファックス送受信機へ安全にファックスする方法のフローチャートである。
【図１２】図12は、本発明に基づき、小切手を送信用ファックス送受信機へ安全にファックスする方法のフローチャートである。
【図１３】図13は、本発明に基づき、小切手を送信するためのファックス送受信機を使用する方法を示す図である。
【０１４１】
同じ参照文字が添付の全図面上でそれぞれの特性を一貫して意味する。
【図１】
2006515728.tif 000002
【図２】
2006515728.tif 000003
【図３】
2006515728.tif 000004
【図４】
2006515728.tif 000005
【図５】
2006515728.tif 000006
【図６】
2006515728.tif 000007
【図７】
2006515728.tif 000008
【図８】
2006515728.tif 000009
【図９】
2006515728.tif 000010
【図１０】
2006515728.tif 000011
【図１１】
2006515728.tif 000012
【図１２】
2006515728.tif 000013
【図１３】
2006515728.tif 000014
【国際調査報告】
2006515728.tif 000015
2006515728.tif 000016